(57)【要約】  本発明は、基地局、ユーザ機器および適応再送方法に関する。基地局は、第１の周波数帯域上の無線資源を使用することによってデータパケットをユーザ機器に送信するように構成された送信ユニットと、ユーザ機器によって送信されるフィードバック情報を受信するように構成された受信ユニットであって、データパケットが首尾よく送信されたかどうかを示すためにフィードバック情報が使用される受信ユニットとを含み、送信ユニットは、データパケットの送信が失敗したことをフィードバック情報が示している場合、第２の周波数帯域上の無線資源を使用することによってデータパケットをユーザ機器に送信し、第１の周波数帯域および第２の周波数帯域は重複カバレージ領域を有し、ユーザ機器は、重複カバレージ領域内に存在するようにさらに構成される。
2017510173.tif 000002
【特許請求の範囲】
【請求項１】
基地局であって、
第１の周波数帯域上の無線資源を使用することによってデータパケットをユーザ機器に送信するように構成された送信ユニットと、
前記ユーザ機器によって送信されるフィードバック情報を受信するように構成された受信ユニットであって、前記データパケットが首尾よく送信されたかどうかを示すために前記フィードバック情報が使用される受信ユニットと
を備え、
前記送信ユニットは、前記データパケットの送信が失敗したことを前記フィードバック情報が示している場合、第２の周波数帯域上の無線資源を使用することによって前記データパケットを前記ユーザ機器に送信するようにさらに構成され、
前記第１の周波数帯域および前記第２の周波数帯域は重複カバレージ領域を有し、前記ユーザ機器は前記重複カバレージ領域内に存在する
ことを特徴とする基地局。
【請求項２】
前記送信ユニットは、特に、
小型セルが前記第１の周波数帯域上の前記無線資源を使用することによって前記データパケットを前記ユーザ機器に送信するよう、前記データパケットを前記小型セルに送信する
ように構成されることを特徴とする請求項１に記載の基地局。
【請求項３】
前記基地局は、
第１の周波数帯域上の無線資源を使用することによってデータパケットを前記ユーザ機器に送信する前に、前記データパケットのために前記第１の周波数帯域上の前記無線資源をスケジュールするように構成された第１のスケジューリングユニット
をさらに備え、
前記送信ユニットは、呼出し情報を前記小型セルに送信するようにさらに構成され、前記呼出し情報は、前記小型セルが、前記第１の周波数帯域上の前記スケジュールされた無線資源を使用することによって、スケジューリング情報に従って前記データパケットを前記ユーザ機器に送信するよう、前記データパケットのためにスケジュールされる前記第１の周波数帯域上の前記無線資源に関する情報を含む
ことを特徴とする請求項２に記載の基地局。
【請求項４】
前記受信ユニットは、前記送信ユニットが前記データパケットを前記ユーザ機器に送信した後、前記小型セルによって送信されるデータパケット情報を受信するようにさらに構成され、前記データパケット情報は前記データパケットの識別子を含むことを特徴とする請求項２に記載の基地局。
【請求項５】
前記基地局は、
前記受信ユニットが前記ユーザ機器によって送信される前記フィードバック情報を受信する前に、バッファされたデータパケットを前記データパケットの前記識別子に従って取得するように構成された取得ユニットと、
前記データパケットのために前記第２の周波数帯域上の前記無線資源をスケジュールするように構成された第２のスケジューリングユニットと
をさらに備えることを特徴とする請求項１乃至４のいずれか一項に記載の基地局。
【請求項６】
前記基地局は、
前記受信ユニットが前記ユーザ機器によって送信される前記フィードバック情報を受信した後、バッファされたデータパケットを前記データパケットの前記識別子に従って取得するように構成された取得ユニットと、
前記データパケットのために前記第２の周波数帯域上の前記無線資源をスケジュールするように構成された第２のスケジューリングユニットと
をさらに備えることを特徴とする請求項１乃至４のいずれか一項に記載の基地局。
【請求項７】
前記第１の周波数帯域は前記第２の周波数帯域より高いことを特徴とする請求項１乃至６のいずれか一項に記載の基地局。
【請求項８】
ユーザ機器であって、
基地局によって第１の周波数帯域上の無線資源を使用することによって送信されるデータパケットを受信するように構成された受信ユニットと、
前記データパケットが首尾よく送信されたかどうかを判定するように構成された判定ユニットと、
フィードバック情報を前記基地局に送信するように構成された送信ユニットであって、前記データパケットが首尾よく送信されたかどうかを示すために前記フィードバック情報が使用される送信ユニットと
を備え、
前記受信ユニットは、前記データパケットの送信が失敗したことを前記フィードバック情報が示している場合、前記基地局によって第２の周波数帯域上の無線資源を使用することによって送信される前記データパケットを受信するようにさらに構成される
ことを特徴とするユーザ機器。
【請求項９】
前記第１の周波数帯域および前記第２の周波数帯域は重複カバレージ領域を有し、前記ユーザ機器は前記重複カバレージ領域内に存在することを特徴とする請求項８に記載のユーザ機器。
【請求項１０】
前記送信ユニットは、特に、
小型セルを使用することによって前記フィードバック情報を前記基地局に送信するように構成されることを特徴とする請求項８に記載のユーザ機器。
【請求項１１】
前記第１の周波数帯域は前記第２の周波数帯域より高いことを特徴とする請求項８乃至１０のいずれか一項に記載のユーザ機器。
【請求項１２】
適応再送方法であって、
第１の周波数帯域上の無線資源を使用することによってデータパケットをユーザ機器に送信するステップと、
前記ユーザ機器によって送信されるフィードバック情報を受信するステップであって、前記データパケットが首尾よく送信されたかどうかを示すために前記フィードバック情報が使用されるステップと、
前記データパケットの送信が失敗したことを前記フィードバック情報が示している場合、第２の周波数帯域上の無線資源を使用することによって前記データパケットを前記ユーザ機器に送信するステップと
を含み、
前記第１の周波数帯域および前記第２の周波数帯域は重複カバレージ領域を有し、前記ユーザ機器は前記重複カバレージ領域内に存在する
ことを特徴とする方法。
【請求項１３】
第１の周波数帯域上の無線資源を使用することによってデータパケットをユーザ機器に送信する前記ステップは、特に、
小型セルが前記第１の周波数帯域上の前記無線資源を使用することによって前記データパケットを前記ユーザ機器に送信するよう、前記データパケットを前記小型セルに送信するステップである
ことを特徴とする請求項１２に記載の方法。
【請求項１４】
第１の周波数帯域上の無線資源を使用することによってデータパケットをユーザ機器に送信する前記ステップの前に、前記方法は、
前記データパケットのために前記第１の周波数帯域上の前記無線資源をスケジュールするステップと、
呼出し情報を前記小型セルに送信するステップであって、前記呼出し情報は、前記小型セルが、前記第１の周波数帯域上の前記スケジュールされた無線資源を使用することによって、スケジューリング情報に従って前記データパケットを前記ユーザ機器に送信するよう、前記データパケットのためにスケジュールされる前記第１の周波数帯域上の前記無線資源に関する情報を含むステップと
をさらに含むことを特徴とする請求項１３に記載の方法。
【請求項１５】
第１の周波数帯域上の無線資源を使用することによってデータパケットをユーザ機器に送信する前記ステップの後、前記方法は、
前記小型セルによって送信されるデータパケット情報を受信するステップであって、前記データパケット情報は前記データパケットの識別子を含むステップ
をさらに含むことを特徴とする請求項１３に記載の方法。
【請求項１６】
前記ユーザ機器によって送信されるフィードバック情報を受信する前記ステップの前に、前記方法は、
バッファされたデータパケットを前記データパケットの前記識別子に従って取得するステップと、
前記データパケットのために前記第２の周波数帯域上の前記無線資源をスケジュールするステップと
をさらに含むことを特徴とする請求項１２乃至１５のいずれか一項に記載の方法。
【請求項１７】
前記ユーザ機器によって送信されるフィードバック情報を受信する前記ステップの後、前記方法は、
バッファされたデータパケットを前記データパケットの前記識別子に従って取得するステップと、
前記データパケットのために前記第２の周波数帯域上の前記無線資源をスケジュールするステップと
をさらに含むことを特徴とする請求項１２乃至１５のいずれか一項に記載の方法。
【請求項１８】
前記第１の周波数帯域は前記第２の周波数帯域より高いことを特徴とする請求項１２乃至１７のいずれか一項に記載の方法。
【発明の詳細な説明】
【技術分野】
【０００１】
本発明は通信技術の分野に関し、詳細には、基地局、ユーザ機器および適応再送方法に関する。
【背景技術】
【０００２】
既存の通信システムでは、個々の基地局は適応再送機能を有している。基地局がユーザ機器へのデータパケットの送信に失敗すると、基地局は、ユーザ機器がデータパケットを適切に受信することができることを保証するために、ユーザ機器にデータパケットを再送信する。基地局は、同じ周波数帯域上の無線資源を使用して最初にデータパケットを送信し、かつ、データパケットを再送信する。したがって、最初にデータパケットを送信し、かつ、データパケットのために無線資源をスケジュールする場合、基地局は、データパケットを再送するために必要な無線資源を考慮しなければならず、それは、無線資源をスケジュールするための比較的複雑なアルゴリズムをもたらしている。さらに、個々の基地局は適応再送機能を有していなければならないため、再送スケジューリングモジュールおよびバッファモジュールなどのモジュールは、基地局のために構成されなければならず、それは、通信システム全体の比較的高い構築費をもたらしている。
【発明の概要】
【課題を解決するための手段】
【０００３】
この観点から、本発明の実施形態は、無線資源をスケジュールするためのアルゴリズムの複雑性を効果的に低減することができ、また、通信システムの構築費を効果的に低減することができる、基地局、ユーザ機器および適応再送方法を提供する。
【０００４】
第１の態様によれば、本発明の実施形態は基地局を提供し、基地局は、
第１の周波数帯域上の無線資源を使用することによってデータパケットをユーザ機器に送信するように構成された送信ユニットと、
ユーザ機器によって送信されるフィードバック情報を受信するように構成された受信ユニットであって、データパケットが首尾よく送信されたかどうかを示すためにフィードバック情報が使用される受信ユニットと
を含み、
送信ユニットは、データパケットの送信が失敗したことをフィードバック情報が示している場合、第２の周波数帯域上の無線資源を使用することによってデータパケットをユーザ機器に送信するようにさらに構成され、
第１の周波数帯域および第２の周波数帯域は重複カバレージ領域を有し、ユーザ機器は重複カバレージ領域内に存在する。
【０００５】
第１の態様の第１の可能実施態様方式では、送信ユニットは、特に、小型セルが第１の周波数帯域上の無線資源を使用することによってデータパケットをユーザ機器に送信するよう、データパケットを小型セルに送信するように構成される。
【０００６】
第１の態様の第１の可能実施態様方式を参照すると、第２の可能実施態様方式では、基地局は、第１の周波数帯域上の無線資源を使用することによってデータパケットをユーザ機器に送信する前に、データパケットのために第１の周波数帯域上の無線資源をスケジュールするように構成された第１のスケジューリングユニットをさらに含み、送信ユニットは、呼出し情報を小型セルに送信するようにさらに構成され、呼出し情報は、小型セルが、第１の周波数帯域上のスケジュールされた無線資源を使用することによって、スケジューリング情報に従ってデータパケットをユーザ機器に送信するよう、データパケットのためにスケジュールされる第１の周波数帯域上の無線資源に関する情報を含む。
【０００７】
第１の態様の第１の可能実施態様方式を参照すると、第３の可能実施態様方式では、受信ユニットは、送信ユニットがデータパケットをユーザ機器に送信した後、小型セルによって送信されるデータパケット情報を受信するようにさらに構成され、データパケット情報はデータパケットの識別子を含む。
【０００８】
第１の態様もしくは第１の態様の第１の可能実施態様方式または第１の態様の第２の可能実施態様方式あるいは第１の態様の第３の可能実施態様方式を参照すると、第４の可能実施態様方式では、基地局は、受信ユニットがユーザ機器によって送信されるフィードバック情報を受信する前に、バッファされたデータパケットをデータパケットの識別子に従って取得するように構成された取得ユニットと、データパケットのために第２の周波数帯域上の無線資源をスケジュールするように構成された第２のスケジューリングユニットとをさらに含む。
【０００９】
第１の態様もしくは第１の態様の第１の可能実施態様方式または第１の態様の第２の可能実施態様方式あるいは第１の態様の第３の可能実施態様方式を参照すると、第５の可能実施態様方式では、基地局は、受信ユニットがユーザ機器によって送信されるフィードバック情報を受信した後、バッファされたデータパケットをデータパケットの識別子に従って取得するように構成された取得ユニットと、データパケットのために第２の周波数帯域上の無線資源をスケジュールするように構成された第２のスケジューリングユニットとをさらに含む。
【００１０】
第１の態様もしくは第１の態様の第１の可能実施態様方式または第１の態様の第２の可能実施態様方式あるいは第１の態様の第３の可能実施態様方式、もしくは第１の態様の第４の可能実施態様方式または第１の態様の第５の可能実施態様方式を参照すると、第６の可能実施態様方式では、第１の周波数帯域は第２の周波数帯域より高い。
【００１１】
第２の態様によれば、本発明の実施形態はユーザ機器を提供し、ユーザ機器は、
基地局によって第１の周波数帯域上の無線資源を使用することによって送信されるデータパケットを受信するように構成された受信ユニットと、
データパケットが首尾よく送信されたかどうかを判定するように構成された判定ユニットと、
フィードバック情報を基地局に送信するように構成された送信ユニットであって、データパケットが首尾よく送信されたかどうかを示すためにフィードバック情報が使用される送信ユニットと
を含み、
受信ユニットは、データパケットの送信が失敗したことをフィードバック情報が示している場合、基地局によって第２の周波数帯域上の無線資源を使用することによって送信されるデータパケットを受信するようにさらに構成され、
第１の周波数帯域および第２の周波数帯域は重複カバレージ領域を有し、ユーザ機器は重複カバレージ領域内に存在する。
【００１２】
第２の態様の第１の可能実施態様方式では、送信ユニットは、特に、小型セルを使用することによってフィードバック情報を基地局に送信するように構成される。
【００１３】
第２の態様または第２の態様の第１の可能実施態様方式を参照すると、第２の可能実施態様方式では、第１の周波数帯域は第２の周波数帯域より高い。
【００１４】
第３の態様を参照すると、本発明の実施形態は適応再送方法を提供し、方法は、
第１の周波数帯域上の無線資源を使用することによってデータパケットをユーザ機器に送信するステップと、
ユーザ機器によって送信されるフィードバック情報を受信するステップであって、データパケットが首尾よく送信されたかどうかを示すためにフィードバック情報が使用されるステップと、
データパケットの送信が失敗したことをフィードバック情報が示している場合、第２の周波数帯域上の無線資源を使用することによってデータパケットをユーザ機器に送信するステップと
を含み、
第１の周波数帯域および第２の周波数帯域は重複カバレージ領域を有し、ユーザ機器は重複カバレージ領域内に存在する。
【００１５】
第３の態様の第１の可能実施態様方式では、第１の周波数帯域上の無線資源を使用することによってデータパケットをユーザ機器に送信するステップは、特に、小型セルが第１の周波数帯域上の無線資源を使用することによってデータパケットをユーザ機器に送信するよう、データパケットを小型セルに送信するステップである。
【００１６】
第３の態様の第１の可能実施態様方式を参照すると、第２の可能実施態様方式では、第１の周波数帯域上の無線資源を使用することによってデータパケットをユーザ機器に送信するステップの前に、方法は、データパケットのために第１の周波数帯域上の無線資源をスケジュールするステップと、呼出し情報を小型セルに送信するステップであって、呼出し情報は、小型セルが、第１の周波数帯域上のスケジュールされた無線資源を使用することによって、スケジューリング情報に従ってデータパケットをユーザ機器に送信するよう、データパケットのためにスケジュールされる第１の周波数帯域上の無線資源に関する情報を含むステップとをさらに含む。
【００１７】
第３の態様の第１の可能実施態様方式を参照すると、第３の可能実施態様方式では、第１の周波数帯域上の無線資源を使用することによってデータパケットをユーザ機器に送信するステップの後、方法は、小型セルによって送信されるデータパケット情報を受信するステップであって、データパケット情報はデータパケットの識別子を含むステップをさらに含む。
【００１８】
第３の態様もしくは第３の態様の第１の可能実施態様方式または第３の態様の第２の可能実施態様方式あるいは第３の態様の第３の可能実施態様方式を参照すると、第４の可能実施態様方式では、ユーザ機器によって送信されるフィードバック情報を受信するステップの前に、方法は、バッファされたデータパケットをデータパケットの識別子に従って取得するステップと、データパケットのために第２の周波数帯域上の無線資源をスケジュールするステップとをさらに含む。
【００１９】
第３の態様もしくは第３の態様の第１の可能実施態様方式または第３の態様の第２の可能実施態様方式あるいは第３の態様の第３の可能実施態様方式を参照すると、第５の可能実施態様方式では、ユーザ機器によって送信されるフィードバック情報を受信するステップの後、方法は、バッファされたデータパケットをデータパケットの識別子に従って取得するステップと、データパケットのために第２の周波数帯域上の無線資源をスケジュールするステップとをさらに含む。
【００２０】
第３の態様もしくは第３の態様の第１の可能実施態様方式または第３の態様の第２の可能実施態様方式あるいは第３の態様の第３の可能実施態様方式、もしくは第３の態様の第４の可能実施態様方式または第３の態様の第５の可能実施態様方式を参照すると、第６の可能実施態様方式では、第１の周波数帯域は第２の周波数帯域より高い。
【００２１】
上記解決法によれば、基地局は、最初は第１の周波数帯域上の無線資源を使用することによってデータパケットをユーザ機器に送信し、データパケットの送信が失敗すると、基地局は、第２の周波数帯域上の無線資源を使用することによってデータパケットをユーザ機器に送信する。データパケットは、最初は第１の周波数帯域上の無線資源を使用することによって基地局によってユーザ機器に送信され、また、データパケットは、第２の周波数帯域上の無線資源を使用することによってユーザ機器に再送信される。つまり、データパケットの最初の送信およびデータパケットの再送信は、異なる周波数帯域上で実施される。したがって基地局がデータパケットのために第１の周波数帯域上の無線資源をスケジュールする際に、データパケットを再伝送するために必要な無線資源が考慮される必要はなく、それは、無線資源をスケジュールするためのアルゴリズムの複雑性を効果的に低減することができる。
【図面の簡単な説明】
【００２２】
【図１】本発明の実施形態１による基地局の概略構成図である。
【図２】本発明の実施形態１による別の基地局の概略構成図である。
【図３】本発明の実施形態１によるさらに別の基地局の概略構成図である。
【図４】本発明の実施形態２によるユーザ機器の概略構成図である。
【図５】本発明の実施形態３による適応再送方法のフローチャートである。
【図６】本発明の実施形態４による通信システムのアーキテクチャの概略図である。
【図７】本発明の実施形態５による適応再送方法の信号に関するフローチャートである。
【図８】本発明の実施形態５による別の適応再送方法の信号に関するフローチャートである。
【図９】本発明の実施形態６による適応再送方法の信号に関するフローチャートである。
【図１０】本発明の実施形態６による別の適応再送方法の信号に関するフローチャートである。
【図１１】本発明の実施形態７による適応再送方法の信号に関するフローチャートである。
【図１２】本発明の実施形態７による別の適応再送方法の信号に関するフローチャートである。
【図１３】本発明の実施形態８による適応再送方法の信号に関するフローチャートである。
【図１４】本発明の実施形態８による別の適応再送方法の信号に関するフローチャートである。
【図１５】本発明の実施形態９による通信システムのアーキテクチャの概略図である。
【図１６】本発明の実施形態１０による適応再送方法の信号に関するフローチャートである。
【図１７】本発明の実施形態１１による適応再送方法の信号に関するフローチャートである。
【発明を実施するための形態】
【００２３】
本発明の目的、技術的解決法および利点をより明確にするために、以下、添付の図面を参照して、本発明をさらに詳細に説明する。明らかに、説明される実施形態は、本発明の実施形態の一部にすぎず、すべてではない。創造的な努力を必要とすることなく、本発明の実施形態に基づいて当業者によって獲得されるすべての他の実施形態は、本発明の保護範囲の範疇であるものとする。
【００２４】
実施形態１
図１に示されているように、図１は、本発明の実施形態１による基地局の概略構成図である。基地局は、送信ユニット１１０および受信ユニット１２０を含む。
【００２５】
送信ユニット１１０は、第１の周波数帯域上の無線資源を使用することによってデータパケットをユーザ機器に送信するように構成される。
【００２６】
受信ユニット１２０は、ユーザ機器によって送信されるフィードバック情報を受信するように構成され、フィードバック情報は、データパケットが首尾よく送信されたかどうかを示すために使用される。
【００２７】
送信ユニット１１０は、データパケットの送信が失敗したことをフィードバック情報が示している場合、第２の周波数帯域上の無線資源を使用することによってデータパケットをユーザ機器に送信するようにさらに構成される。
【００２８】
第１の周波数帯域および第２の周波数帯域は重複カバレージ領域を有し、ユーザ機器は重複カバレージ領域内に存在する。
【００２９】
さらに、送信ユニット１１０は、とりわけ、
小型セルが第１の周波数帯域上の無線資源を使用することによってデータパケットをユーザ機器に送信するよう、データパケットを小型セルに送信する
ように構成される。
【００３０】
さらに、図２に示されているように、基地局は、第１のスケジューリングユニット１３０をさらに含むことができる。
【００３１】
第１のスケジューリングユニット１３０は、第１の周波数帯域上の無線資源を使用することによってデータパケットをユーザ機器に送信する前に、データパケットのために第１の周波数帯域上の無線資源をスケジュールするように構成される。それに応じて送信ユニット１１０は、呼出し情報を小型セルに送信するようにさらに構成され、呼出し情報は、小型セルが、第１の周波数帯域上のスケジュールされた無線資源を使用することによって、スケジューリング情報に従ってデータパケットをユーザ機器に送信するよう、データパケットのためにスケジュールされる第１の周波数帯域上の無線資源に関する情報を含む。
【００３２】
さらに、受信ユニット１２０は、第１の周波数帯域上の無線資源を使用することによってデータパケットがユーザ機器に送信された後、小型セルによって送信されるデータパケット情報を受信するようにさらに構成され、データパケット情報はデータパケットの識別子を含む。
【００３３】
さらに、図３に示されているように、基地局は、取得ユニット１４０および第２のスケジューリングユニット１５０をさらに含むことができる。
【００３４】
取得ユニット１４０は、受信ユニット１２０がユーザ機器によって送信されるフィードバック情報を受信する前に、または受信ユニット１２０がユーザ機器によって送信されるフィードバック情報を受信した後に、バッファされたデータパケットをデータパケットの識別子に従って取得するように構成され、また、第２のスケジューリングユニット１５０は、データパケットのために第２の周波数帯域上の無線資源をスケジュールするように構成される。
【００３５】
さらに、第１の周波数帯域は第２の周波数帯域より高い。
【００３６】
ハードウェア実施態様では、上記送信ユニット１１０は、送信機またはトランシーバであってもよく、上記受信ユニット１２０は、受信機またはトランシーバであってもよく、また、送信ユニット１１０および受信ユニット１２０は、ハードウェア実施態様に対応するトランシーバである送受信ユニットを形成するために統合され得る。上記第１のスケジューリングユニット１３０、取得ユニット１４０および第２のスケジューリングユニット１５０は、プロセッサが上記モジュールの各々に対応する操作を呼び出し、かつ、実行するよう、基地局のプロセッサの中にハードウェア形態で組み込まれることができ、もしくは独立したハードウェア形態であってもよく、またはソフトウェア形態で基地局のメモリに記憶されることも可能である。プロセッサは、中央処理装置（ＣＰＵ）、マイクロプロセッサ、シングルチップマイクロコンピュータ、等々であってもよい。
【００３７】
本発明の実施形態１で提供される基地局によれば、基地局は、最初は第１の周波数帯域上の無線資源を使用することによってデータパケットをユーザ機器に送信し、データパケットの送信が失敗すると、基地局は、第２の周波数帯域上の無線資源を使用することによってデータパケットをユーザ機器に送信する。データパケットは、最初は第１の周波数帯域上の無線資源を使用することによって基地局によってユーザ機器に送信され、また、データパケットは、第２の周波数帯域上の無線資源を使用することによってユーザ機器に再送信される。つまり、データパケットの最初の送信およびデータパケットの再送信は、異なる周波数帯域上で実施される。したがって基地局がデータパケットのために第１の周波数帯域上の無線資源をスケジュールする際に、データパケットを再伝送するために必要な無線資源が考慮される必要はなく、それは、無線資源をスケジュールするためのアルゴリズムの複雑性を効果的に低減することができる。
【００３８】
実施形態２
図４に示されているように、図４は、本発明の実施形態２によるユーザ機器の概略構成図である。ユーザ機器は、受信ユニット２１０、判定ユニット２２０および送信ユニット２３０を含む。
【００３９】
受信ユニット２１０は、基地局によって第１の周波数帯域上の無線資源を使用することによって送信されるデータパケットを受信するように構成される。
【００４０】
判定ユニット２２０は、データパケットが首尾よく送信されたかどうかを判定するように構成される。
【００４１】
送信ユニット２３０はフィードバック情報を基地局に送信するように構成され、フィードバック情報は、データパケットが首尾よく送信されたかどうかを示すために使用される。
【００４２】
受信ユニット２１０は、データパケットの送信が失敗したことをフィードバック情報が示している場合、基地局によって第２の周波数帯域上の無線資源を使用することによって送信されるデータパケットを受信するようにさらに構成される。
【００４３】
第１の周波数帯域および第２の周波数帯域は重複カバレージ領域を有し、ユーザ機器は重複カバレージ領域内に存在する。第１の周波数帯域および第２の周波数帯域が重複カバレージ領域を有することは、複数の形態で提供され得る。例えば第１の周波数帯域のカバレージ領域の一部が第２の周波数帯域のカバレージ領域の一部と重複し、または１つの周波数帯域のカバレージ領域が他の周波数帯域のカバレージ領域内に存在する。
【００４４】
さらに、送信ユニット２３０は、とりわけ、小型セルを使用することによってフィードバック情報を基地局に送信するように構成される。
【００４５】
さらに、第１の周波数帯域は第２の周波数帯域より高い。
【００４６】
ハードウェア実施態様では、上記受信ユニット２１０は、受信機またはトランシーバであってもよく、上記送信ユニット２３０は、送信機またはトランシーバであってもよく、また、受信ユニット２１０および送信ユニット２３０は、ハードウェア実施態様に対応するトランシーバである送受信ユニットを形成するために統合され得る。上記判定ユニット２２０は、プロセッサが上記モジュールの各々に対応する操作を呼び出し、かつ、実行するよう、ユーザ機器のプロセッサの中にハードウェア形態で組み込まれることができ、もしくは独立したハードウェア形態であってもよく、またはソフトウェア形態で基地局のメモリに記憶されることも可能である。プロセッサは、中央処理装置（ＣＰＵ）、マイクロプロセッサ、シングルチップマイクロコンピュータ、等々であってもよい。
【００４７】
本発明の実施形態２で提供されるユーザ機器によれば、ユーザ機器は、最初は、基地局によって第１の周波数帯域上の無線資源を使用することによって送信されるデータパケットを受信し、データパケットの送信が失敗すると、ユーザ機器は、基地局によって第２の周波数帯域上の無線資源を使用することによって送信されるデータパケットを受信する。データパケットは、最初は第１の周波数帯域上の無線資源を使用することによって基地局によってユーザ機器に送信され、また、データパケットは、第２の周波数帯域上の無線資源を使用することによってユーザ機器に再送信される。つまり、データパケットの最初の送信およびデータパケットの再送信は、異なる周波数帯域上で実施される。したがって基地局がデータパケットのために第１の周波数帯域上の無線資源をスケジュールする際に、データパケットを再伝送するために必要な無線資源が考慮される必要はなく、それは、無線資源をスケジュールするためのアルゴリズムの複雑性を効果的に低減することができる。
【００４８】
実施形態３
図５に示されているように、図５は、本発明の実施形態３による適応再送方法のフローチャートである。適応再送方法は基地局によって実行され、また、とりわけ本発明の実施形態１で提供される基地局によって実行され得る。
【００４９】
適応再送方法は以下のステップを含む。
【００５０】
ステップＳ３０１．第１の周波数帯域上の無線資源を使用することによってデータパケットをユーザ機器に送信する。
【００５１】
ステップＳ３０２．ユーザ機器によって送信されるフィードバック情報を受信し、フィードバック情報は、データパケットが首尾よく送信されたかどうかを示すために使用される。
【００５２】
ステップＳ３０３．データパケットの送信が失敗したことをフィードバック情報が示している場合、第２の周波数帯域上の無線資源を使用することによってデータパケットをユーザ機器に送信する。
【００５３】
第１の周波数帯域および第２の周波数帯域は重複カバレージ領域を有し、ユーザ機器は重複カバレージ領域内に存在する。
【００５４】
さらに、ステップＳ３０１で、第１の周波数帯域上の無線資源を使用することによってデータパケットをユーザ機器に送信するステップは、とりわけ、
小型セルが第１の周波数帯域上の無線資源を使用することによってデータパケットをユーザ機器に送信するよう、データパケットを小型セルに送信するステップである。
【００５５】
さらに、ステップＳ３０１で、第１の周波数帯域上の無線資源を使用することによってデータパケットをユーザ機器に送信する前に、方法は、データパケットのために第１の周波数帯域上の無線周波数資源をスケジュールするステップ、および呼出し情報を小型セルに送信するステップをさらに含み、呼出し情報は、小型セルが、第１の周波数帯域上のスケジュールされた無線資源を使用することによって、スケジューリング情報に従ってデータパケットをユーザ機器に送信するよう、データパケットのためにスケジュールされる第１の周波数帯域上の無線資源に関する情報を含む。
【００５６】
さらに、ステップＳ３０１で、第１の周波数帯域上の無線資源を使用することによってデータパケットをユーザ機器に送信した後、方法は、
小型セルによって送信されるデータパケット情報を受信するステップであって、データパケット情報はデータパケットの識別子を含むステップ
をさらに含む。
【００５７】
さらに、ステップＳ３０２で、ユーザ機器によって送信されるフィードバック情報を受信する前に、方法は、
バッファされたデータパケットをデータパケットの識別子に従って取得するステップ、およびデータパケットのために第２の周波数帯域上の無線資源をスケジュールするステップ
をさらに含む。
【００５８】
さらに、ステップＳ３０２で、ユーザ機器によって送信されるフィードバック情報を受信した後に、方法は、
バッファされたデータパケットをデータパケットの識別子に従って取得するステップ、およびデータパケットのために第２の周波数帯域上の無線資源をスケジュールするステップ
をさらに含む。
【００５９】
さらに、第１の周波数帯域は第２の周波数帯域より高い。
【００６０】
本発明の実施形態３で提供される適応再送方法によれば、基地局は、最初は第１の周波数帯域上の無線資源を使用することによってデータパケットをユーザ機器に送信し、データパケットの送信が失敗すると、基地局は、第２の周波数帯域上の無線資源を使用することによってデータパケットをユーザ機器に送信する。データパケットは、最初は第１の周波数帯域上の無線資源を使用することによって基地局によってユーザ機器に送信され、また、データパケットは、第２の周波数帯域上の無線資源を使用することによってユーザ機器に再送信される。つまり、データパケットの最初の送信およびデータパケットの再送信は、異なる周波数帯域上で実施される。したがって基地局がデータパケットのために第１の周波数帯域上の無線資源をスケジュールする際に、データパケットを再伝送するために必要な無線資源が考慮される必要はなく、それは、無線資源をスケジュールするためのアルゴリズムの複雑性を効果的に低減することができる。
【００６１】
実施形態４
図６に示されているように、図６は、本発明の実施形態４による通信システムのアーキテクチャの概略図である。通信システムは、基地局１０、小型セル２０およびユーザ機器３０を含む。基地局１０は、本発明の実施形態１で提供される基地局であってもよく、また、ユーザ機器３０は、本発明の実施形態２で提供されるユーザ機器であってもよい。
【００６２】
基地局１０は、比較的低い周波数の周波数帯域（例えば３．５ＧＨｚおよび５ＧＨｚ）を使用して比較的広い範囲をカバーする。基地局１０のカバレージ領域内には、ホットスポットカバレージを実施するために複数の小型セル２０が配備される。小型セル２０は、比較的高い周波数の周波数帯域（例えば２８ＧＨｚおよび３８ＧＨｚ）を使用して比較的狭い範囲をカバーする。基地局１０のカバレージ領域内に存在し、かつ、小型セル２０のカバレージ領域内に存在するユーザ機器３０は、１または複数の周波数帯域を使用することによって基地局１０および小型セル２０と同時に通信することができる。
【００６３】
例えばユーザ機器３０は、５ＧＨｚの周波数帯域を使用することによって基地局１０と通信することができ、また、それと同時に、２８ＧＨｚの周波数帯域を使用することによって小型セル２０とさらに通信することができ、もしくはユーザ機器３０は、２つの周波数帯域、つまり３．５ＧＨｚおよび５ＧＨｚを使用することによって基地局１０と通信することができ、また、それと同時に、２８ＧＨｚの周波数帯域を使用することによって小型セル２０とさらに通信することができ、またはユーザ機器３０は、５ＧＨｚの周波数帯域を使用することによって基地局１０と通信することができ、また、それと同時に、２８ＧＨｚおよび３８ＧＨｚの周波数帯域を使用することによって小型セル２０とさらに通信することができる。
【００６４】
基地局１０のカバレージ領域内に存在するユーザ機器３０によって受信または送信されるデータは、基地局１０を使用することによってコアネットワークと交換され、つまりユーザ機器３０のダウンリンクデータがコアネットワークから基地局１０に引き渡され、また、基地局１０は、比較的低い周波数の周波数帯域を使用することによってデータをユーザ機器３０に直接伝送する。あるいは最初に基地局１０が、比較的高い周波数の周波数帯域を使用することによって、または配線式ファイバを使用することによってデータを小型セル２０に伝送し、次に小型セル２０が、比較的高い周波数の周波数帯域を使用することによってデータをユーザ機器３０に伝送する。
【００６５】
実施形態５
図７に示されているように、図７は、本発明の実施形態５による適応再送方法の信号に関するフローチャートである。適応再送方法は、実施形態４の通信システムに適用され、また、ユーザ機器が基地局および小型セルの重複カバレージ領域内に存在する通信システムのシナリオに適用することができる。本発明の実施形態５は、基地局が５ＧＨｚの周波数帯域を使用することによってユーザ機器と通信し、また、小型セルが２８ＧＨｚの周波数帯域を使用することによってユーザ機器と通信する例を使用することによって説明される。
【００６６】
適応再送方法は以下のステップを含む。
【００６７】
ステップＳ５０１．基地局がデータパケットを小型セルに送信する。
【００６８】
基地局は、パケットデータ収束プロトコル（Ｐａｃｋｅｔ  Ｄａｔａ  Ｃｏｎｖｅｒｇｅｎｃｅ  Ｐｒｏｔｏｃｏｌ、ＰＤＣＰ）層、無線リンク制御（Ｒａｄｉｏ  Ｌｉｎｋ  Ｃｏｎｔｒｏｌ、ＲＬＣ）層、媒体アクセス制御（Ｍｅｄｉｕｍ  Ａｃｃｅｓｓ  Ｃｏｎｔｒｏｌ、ＭＡＣ）層および物理（Ｐｈｙｓｉｃａｌ、ＰＨＹ）層を含む。最初に、基地局の層であるＰＤＣＰ層およびＲＬＣ層によってデータパケットが処理され、次に小型セルに送信される。
【００６９】
ステップＳ５０２．基地局がデータパケットをバッファする。
【００７０】
基地局のＲＬＣ層は、小型セルがユーザ機器へのデータパケットの送信に失敗すると、データパケットがユーザ機器に再送信されるよう、小型セルに送信されるデータパケットをバッファする。
【００７１】
ステップＳ５０３．小型セルがデータパケットのために２８ＧＨｚの周波数帯域上の無線資源をスケジュールする。
【００７２】
小型セルによって受信されるデータパケットは、基地局の層であるＰＤＣＰ層およびＲＬＣ層によって処理されたデータパケットであるため、小型セルは、ＰＤＣＰ層およびＲＬＣ層を有する必要はないが、小型セルの構築費を効果的に低減することができ、延いては通信システム全体の構築費を低減することができるＭＡＣ層およびＰＨＹ層だけは含んでいなければならない。
【００７３】
小型セルがデータパケットを受信した後、小型セルのＭＡＣ層は、データパケットのために２８ＧＨｚの周波数帯域上の無線資源をスケジュールする。
【００７４】
ステップＳ５０４．小型セルが２８ＧＨｚの周波数帯域上のスケジュールされた無線資源を使用することによってデータパケットをユーザ機器に送信する。
【００７５】
小型セルのＭＡＣ層がデータパケットのために２８ＧＨｚの周波数帯域上の無線資源をスケジュールした後、小型セルのＰＨＹ層は、データパケットのために小型セルのＭＡＣ層によってスケジュールされる、２８ＧＨｚの周波数帯域上の無線資源を使用することによってデータパケットをユーザ機器に送信する。
【００７６】
ステップＳ５０５．小型セルがデータパケット情報を基地局に送信する。
【００７７】
データパケット情報は、小型セルによってユーザ機器に送信されるデータパケットの識別子を含み、それにより小型セルによってユーザ機器に送信されたデータパケットを基地局に知らせる。
【００７８】
ステップＳ５０６．ユーザ機器が、データパケットが首尾よく送信されたかどうかを判定する。
【００７９】
ステップＳ５０７．ユーザ機器がフィードバック情報を基地局に送信する。
【００８０】
とりわけ、データパケットが首尾よく送信されたことをユーザ機器が判定すると、フィードバック情報は肯定応答（Ａｃｋｎｏｗｌｅｄｇｅｍｅｎｔ、ＡＣＫ）情報であり、また、データパケットの送信が失敗したことをユーザ機器が判定すると、フィードバック情報は負の肯定応答（Ｎｅｇａｔｉｖｅ  Ａｃｋｎｏｗｌｅｄｇｅｍｅｎｔ、ＮＡＣＫ）情報である。
【００８１】
フィードバック情報がＡＣＫ情報である場合、ステップＳ５０８が実行される。
【００８２】
フィードバック情報がＮＡＣＫ情報である場合、ステップＳ５０９乃至ステップＳ５１１が実行される。
【００８３】
任意選択で、ステップＳ５０７は２つのステップに分割され得る。図８に示されているように、ステップＳ５０７は以下のステップを含む。
【００８４】
ステップＳ５０７ａ．ユーザ機器がフィードバック情報を小型セルに送信する。
【００８５】
ステップＳ５０７ｂ．小型セルがフィードバック情報を基地局に送信する。
【００８６】
ステップＳ５０８．基地局がバッファされたデータパケットを削除する。
【００８７】
基地局がユーザ機器によって送信されるＡＣＫ情報を受信すると、基地局のＭＡＣ層は、ユーザ機器によって送信されたフィードバック情報に従ってデータパケットの識別子を決定し、識別子に対応するデータパケットが首尾よく送信されたことを基地局のＲＬＣ層に報告し、次に基地局のＲＬＣ層は、識別子に対応するバッファされたデータパケットを削除する。
【００８８】
ステップＳ５０９．基地局がバッファされたデータパケットを取得する。
【００８９】
基地局がユーザ機器によって送信されるＮＡＣＫ情報を受信すると、基地局のＭＡＣ層は、ユーザ機器によって送信されたフィードバック情報に従ってデータパケットの識別子を決定し、識別子に対応するデータパケットの送信が失敗したことを基地局のＲＬＣ層に報告し、次に基地局のＲＬＣ層は、識別子に対応するバッファされたデータパケットを基地局のＭＡＣ層に送信する。
【００９０】
ステップＳ５１０．基地局がデータパケットのために５ＧＨｚの周波数帯域上の無線資源をスケジュールする。
【００９１】
基地局のＭＡＣ層がデータパケットを取得した後、基地局のＭＡＣ層は、データパケットのために５ＧＨｚの周波数帯域上の無線資源をスケジュールする。
【００９２】
基地局がフィードバック情報を受信し、フィードバック情報がＮＡＣＫ情報である場合、基地局は、バッファされたデータパケットの取得を開始し、かつ、データパケットのために５ＧＨｚの周波数帯域上の無線資源をスケジュールし、つまり基地局は、再伝送される必要があるデータパケットのためにのみ５ＧＨｚの周波数帯域上の無線資源をスケジュールし、それは、無線資源の利用を改善することができる。
【００９３】
ステップＳ５１１．基地局が、５ＧＨｚの周波数帯域上のスケジュールされた無線資源を使用することによってデータパケットをユーザ機器に送信する。
【００９４】
基地局のＭＡＣ層がデータパケットのために５ＧＨｚの周波数帯域上の無線資源をスケジュールした後、基地局のＰＨＹ層は、データパケットのために基地局のＭＡＣ層によってスケジュールされる５ＧＨｚの周波数帯域上の無線資源を使用することによってデータパケットをユーザ機器に送信する。
【００９５】
基地局によって再送信されたデータパケットを受信した後、ユーザ機器は、もう一度ステップＳ５０６乃至ステップＳ５１１を実行することができることが理解され得る。
【００９６】
本発明の実施形態５で提供される適応再送方法によれば、データパケットは、最初は、第１の周波数帯域（２８ＧＨｚ）上の無線資源を使用することによって、基地局によって小型セルを介してユーザ機器に送信され、また、データパケットは、第２の周波数帯域（５ＧＨｚ）上の無線資源を使用することによってユーザ機器に再送信される。つまり、データパケットの最初の送信およびデータパケットの再送信は、異なる周波数帯域上で実施される。したがって小型セルがデータパケットのために無線資源をスケジュールする際に、データパケットを再伝送するために必要な無線資源が考慮される必要はなく、それは、無線資源をスケジュールするためのアルゴリズムの複雑性を効果的に低減することができる。さらに、基地局に必要であるのは再伝送機能を有することのみであり、また、小型セルは、再伝送機能を有する必要はないため、通信システムの構築費が効果的に低減され得る。
【００９７】
実施形態６
図９に示されているように、図９は、本発明の実施形態６による適応再送方法の信号に関するフローチャートである。適応再送方法は、実施形態４の通信システムに適用され、また、ユーザ機器が基地局および小型セルの重複カバレージ領域内に存在する通信システムのシナリオに適用することができる。本発明の実施形態６は、基地局が５ＧＨｚの周波数帯域を使用することによってユーザ機器と通信し、また、小型セルが２８ＧＨｚの周波数帯域を使用することによってユーザ機器と通信する例を使用することによって説明される。
【００９８】
適応再送方法は以下のステップを含む。
【００９９】
ステップＳ６０１．基地局がデータパケットを小型セルに送信する。
【０１００】
基地局は、ＰＤＣＰ層、ＲＬＣ層、ＭＡＣ層およびＰＨＹ層を含む。最初に、基地局の層であるＰＤＣＰ層およびＲＬＣ層によってデータパケットが処理され、次に小型セルに送信される。
【０１０１】
ステップＳ６０２．基地局がデータパケットをバッファする。
【０１０２】
基地局のＲＬＣ層は、小型セルがユーザ機器へのデータパケットの送信に失敗すると、データパケットがユーザ機器に再送信されるよう、小型セルに送信されるデータパケットをバッファする。
【０１０３】
ステップＳ６０３．小型セルがデータパケットのために２８ＧＨｚの周波数帯域上の無線資源をスケジュールする。
【０１０４】
小型セルによって受信されるデータパケットは、基地局の層であるＰＤＣＰ層およびＲＬＣ層によって処理されたデータパケットであるため、小型セルは、ＰＤＣＰ層およびＲＬＣ層を有する必要はないが、小型セルの構築費を効果的に低減することができ、延いては通信システム全体の構築費を低減することができるＭＡＣ層およびＰＨＹ層だけは含んでいなければならない。
【０１０５】
小型セルがデータパケットを受信した後、小型セルのＭＡＣ層は、データパケットのために２８ＧＨｚの周波数帯域上の無線資源をスケジュールする。
【０１０６】
ステップＳ６０４．小型セルが２８ＧＨｚの周波数帯域上のスケジュールされた無線資源を使用することによってデータパケットをユーザ機器に送信する。
【０１０７】
小型セルのＭＡＣ層がデータパケットのために２８ＧＨｚの周波数帯域上の無線資源をスケジュールした後、小型セルのＰＨＹ層は、データパケットのために小型セルのＭＡＣ層によってスケジュールされる、２８ＧＨｚの周波数帯域上の無線資源を使用することによってデータパケットをユーザ機器に送信する。
【０１０８】
ステップＳ６０５．小型セルがデータパケット情報を基地局に送信する。
【０１０９】
データパケット情報は、小型セルによってユーザ機器に送信されるデータパケットの識別子を含み、それにより小型セルによってユーザ機器に送信されたデータパケットを基地局に知らせる。
【０１１０】
ステップＳ６０６．基地局がバッファされたデータパケットを取得する。
【０１１１】
基地局のＭＡＣ層は、ユーザ機器によって送信されたフィードバック情報に従ってデータパケットの識別子を決定し、かつ、識別子を基地局のＲＬＣ層に報告し、次に基地局のＲＬＣ層は、識別子に対応するバッファされたデータパケットを基地局のＭＡＣ層に送信する。
【０１１２】
ステップＳ６０７．基地局がデータパケットのために５ＧＨｚの周波数帯域上の無線資源をスケジュールする。
【０１１３】
基地局のＭＡＣ層がデータパケットを取得した後、基地局のＭＡＣ層は、データパケットのために５ＧＨｚの周波数帯域上の無線資源をスケジュールする。
【０１１４】
基地局は、フィードバック情報を受信する前に、バッファされたデータパケットを取得し、かつ、データパケットのために５ＧＨｚの周波数帯域上の無線資源をスケジュールし、受信したフィードバック情報がＮＡＣＫ情報である場合、基地局がデータパケットのために無線資源をスケジュールするのを待機する必要はなく、データパケットは、データパケットのためにスケジュールされている５ＧＨｚの周波数帯域上の無線資源を使用することによって直接送信され、それによりデータパケットを再伝送するための時間を短くする。
【０１１５】
ステップＳ６０８．ユーザ機器が、データパケットが首尾よく送信されたかどうかを判定する。
【０１１６】
ステップＳ６０９．ユーザ機器がフィードバック情報を基地局に送信する。
【０１１７】
とりわけ、データパケットが首尾よく送信されたことをユーザ機器が判定すると、フィードバック情報はＡＣＫ情報であり、また、データパケットの送信が失敗したことをユーザ機器が判定すると、フィードバック情報はＮＡＣＫ情報である。
【０１１８】
フィードバック情報がＡＣＫ情報である場合、ステップＳ６１０が実行される。
【０１１９】
フィードバック情報がＮＡＣＫ情報である場合、ステップＳ６１１が実行される。
【０１２０】
任意選択で、ステップＳ６０９は２つのステップに分割され得る。図１０に示されているように、ステップＳ６０９は以下のステップを含む。
【０１２１】
ステップＳ６０９ａ．ユーザ機器がフィードバック情報を小型セルに送信する。
【０１２２】
ステップＳ６０９ｂ．小型セルがフィードバック情報を基地局に送信する。
【０１２３】
ステップＳ６１０．基地局がバッファされたデータパケットを削除する。
【０１２４】
基地局がユーザ機器によって送信されるＡＣＫ情報を受信すると、基地局のＭＡＣ層は、ユーザ機器によって送信されたフィードバック情報に従ってデータパケットの識別子を決定し、識別子に対応するデータパケットが首尾よく送信されたことを基地局のＲＬＣ層に報告し、次に基地局のＲＬＣ層は、識別子に対応するバッファされたデータパケットを削除する。
【０１２５】
ステップＳ６１１．基地局が、５ＧＨｚの周波数帯域上のスケジュールされた無線資源を使用することによってデータパケットをユーザ機器に送信する。
【０１２６】
基地局がユーザ機器によって送信されるＮＡＣＫ情報を受信すると、基地局のＰＨＹ層は、データパケットのために基地局のＭＡＣ層によってスケジュールされる５ＧＨｚの周波数帯域上の無線資源を使用することによってデータパケットをユーザ機器に送信する。
【０１２７】
基地局によって再送信されたデータパケットを受信した後、ユーザ機器は、もう一度ステップＳ６０６乃至ステップＳ６１１を実行することができることが理解され得る。
【０１２８】
本発明の実施形態６で提供される適応再送方法によれば、データパケットは、最初は、第１の周波数帯域（２８ＧＨｚ）上の無線資源を使用することによって、基地局によって小型セルを介してユーザ機器に送信され、また、データパケットは、第２の周波数帯域（５ＧＨｚ）上の無線資源を使用することによってユーザ機器に再送信される。つまり、データパケットの最初の送信およびデータパケットの再送信は、異なる周波数帯域上で実施される。したがって小型セルがデータパケットのために無線資源をスケジュールする際に、データパケットを再伝送するために必要な無線資源が考慮される必要はなく、それは、無線資源をスケジュールするためのアルゴリズムの複雑性を効果的に低減することができる。さらに、基地局に必要であるのは再伝送機能を有することのみであり、また、小型セルは、再伝送機能を有する必要はないため、通信システムの構築費が効果的に低減され得る。
【０１２９】
実施形態７
図１１に示されているように、図１１は、本発明の実施形態７による適応再送方法の信号に関するフローチャートである。適応再送方法は、実施形態４の通信システムに適用され、また、ユーザ機器が基地局および小型セルの重複カバレージ領域内に存在する通信システムのシナリオに適用することができる。本発明の実施形態７は、基地局が５ＧＨｚの周波数帯域を使用することによってユーザ機器と通信し、また、小型セルが２８ＧＨｚの周波数帯域を使用することによってユーザ機器と通信する例を使用することによって説明される。
【０１３０】
適応再送方法は以下のステップを含む。
【０１３１】
ステップＳ７０１．基地局がデータパケットのために２８ＧＨｚの周波数帯域上の無線資源をスケジュールする。
【０１３２】
基地局は、ＰＤＣＰ層、ＲＬＣ層、ＭＡＣ層およびＰＨＹ層を含む。最初に、基地局の層であるＰＤＣＰ層およびＲＬＣ層によってデータパケットが処理され、次に基地局のＭＡＣ層がデータパケットのために２８ＧＨｚの周波数帯域上の無線資源をスケジュールする。
【０１３３】
ステップＳ７０２．基地局がスケジューリング情報を小型セルに送信する。
【０１３４】
スケジューリング情報は、データパケットのために基地局のＭＡＣ層によってスケジュールされる２８ＧＨｚの周波数帯域上の無線資源に関する情報を含み、例えばデータパケットのサイズ、変調および符号化スキーム、および論理チャネル番号に関する情報を含む。
【０１３５】
ステップＳ７０３．基地局がデータパケットを小型セルに送信する。
【０１３６】
データパケットは、基地局の層であるＰＤＣＰ層、ＲＬＣ層およびＭＡＣ層によって処理されている。
【０１３７】
ステップＳ７０４．基地局がデータパケットをバッファする。
【０１３８】
基地局のＲＬＣ層は、小型セルがユーザ機器へのデータパケットの送信に失敗すると、データパケットがユーザ機器に再送信されるよう、小型セルに送信されるデータパケットをバッファする。
【０１３９】
ステップＳ７０５．小型セルが、データパケットのために基地局によってスケジュールされる２８ＧＨｚの周波数帯域上の無線資源を使用することによってデータパケットをユーザ機器に送信する。
【０１４０】
小型セルによって受信されるデータパケットは、基地局の層であるＰＤＣＰ層、ＲＬＣ層およびＭＡＣ層によって処理されたデータパケットであるため、小型セルは、ＰＤＣＰ層、ＲＬＣ層およびＭＡＣ層を有する必要はないが、小型セルの構築費を効果的に低減することができ、延いては通信システム全体の構築費を低減することができるＰＨＹ層だけは含んでいなければならない。
【０１４１】
小型セルがデータパケットを受信した後、小型セルのＰＨＹ層は、スケジューリング情報に従って、データパケットのために基地局のＭＡＣ層によってスケジュールされる２８ＧＨｚの周波数帯域上の無線資源を決定し、次に、データパケットのために基地局のＭＡＣ層によってスケジュールされる２８ＧＨｚの周波数帯域上の無線資源を使用することによってデータパケットをユーザ機器に送信する。
【０１４２】
ステップＳ７０６．ユーザ機器が、データパケットが首尾よく送信されたかどうかを判定する。
【０１４３】
ステップＳ７０７．ユーザ機器がフィードバック情報を基地局に送信する。
【０１４４】
とりわけ、データパケットが首尾よく送信されたことをユーザ機器が判定すると、フィードバック情報はＡＣＫ情報であり、また、データパケットの送信が失敗したことをユーザ機器が判定すると、フィードバック情報はＮＡＣＫ情報である。
【０１４５】
フィードバック情報がＡＣＫ情報である場合、ステップＳ７０８が実行される。
【０１４６】
フィードバック情報がＮＡＣＫ情報である場合、ステップＳ７０９乃至ステップＳ７１１が実行される。
【０１４７】
任意選択で、ステップＳ７０７は２つのステップに分割され得る。図１２に示されているように、ステップＳ７０７は以下のステップを含む。
【０１４８】
ステップＳ７０７ａ．ユーザ機器がフィードバック情報を小型セルに送信する。
【０１４９】
ステップＳ７０７ｂ．小型セルがフィードバック情報を基地局に送信する。
【０１５０】
ステップＳ７０８．基地局がバッファされたデータパケットを削除する。
【０１５１】
基地局がユーザ機器によって送信されるＡＣＫ情報を受信すると、基地局のＭＡＣ層は、データパケットの識別子を決定し、かつ、識別子に対応するデータパケットが首尾よく送信されたことを基地局のＲＬＣ層に報告し、次に基地局のＲＬＣ層は、識別子に対応するバッファされたデータパケットを削除する。
【０１５２】
ステップＳ７０９．基地局がバッファされたデータパケットを取得する。
【０１５３】
基地局がユーザ機器によって送信されるＮＡＣＫ情報を受信すると、基地局のＭＡＣ層は、データパケットの識別子を決定し、かつ、識別子に対応するデータパケットの送信が失敗したことを基地局のＲＬＣ層に報告し、次に基地局のＲＬＣ層は、識別子に対応するバッファされたデータパケットを基地局のＭＡＣ層に送信する。
【０１５４】
ステップＳ７１０．基地局がデータパケットのために５ＧＨｚの周波数帯域上の無線資源をスケジュールする。
【０１５５】
基地局のＭＡＣ層がデータパケットを取得した後、基地局のＭＡＣ層は、データパケットのために５ＧＨｚの周波数帯域上の無線資源をスケジュールする。
【０１５６】
基地局は２つのＭＡＣ層を含むことができ、１つのＭＡＣ層は、データパケットのために２８ＧＨｚの周波数帯域上の無線資源をスケジュールし、また、他のＭＡＣ層は、データパケットのために５ＧＨｚの周波数帯域上の無線資源をスケジュールし、それによりデータパケットのために無線資源をスケジュールするための基地局の効率を改善することに留意されたい。
【０１５７】
基地局がフィードバック情報を受信し、フィードバック情報がＮＡＣＫ情報である場合、基地局は、バッファされたデータパケットの取得を開始し、かつ、データパケットのために５ＧＨｚの周波数帯域上の無線資源をスケジュールし、つまり基地局は、再伝送される必要があるデータパケットのためにのみ５ＧＨｚの周波数帯域上の無線資源をスケジュールし、それは、無線資源の利用を改善することができる。
【０１５８】
ステップＳ７１１．基地局が、５ＧＨｚの周波数帯域上のスケジュールされた無線資源を使用することによってデータパケットをユーザ機器に送信する。
【０１５９】
基地局のＭＡＣ層がデータパケットのために５ＧＨｚの周波数帯域上の無線資源をスケジュールした後、基地局のＰＨＹ層は、データパケットのために基地局のＭＡＣ層によってスケジュールされる５ＧＨｚの周波数帯域上の無線資源を使用することによってデータパケットをユーザ機器に送信する。
【０１６０】
基地局によって再送信されたデータパケットを受信した後、ユーザ機器は、もう一度ステップＳ７０６乃至ステップＳ７１１を実行することができることが理解され得る。
【０１６１】
本発明の実施形態７で提供される適応再送方法によれば、データパケットは、最初は、第１の周波数帯域（２８ＧＨｚ）上の無線資源を使用することによって、基地局によって小型セルを介してユーザ機器に送信され、また、データパケットは、第２の周波数帯域（５ＧＨｚ）上の無線資源を使用することによってユーザ機器に再送信される。つまり、データパケットの最初の送信およびデータパケットの再送信は、異なる周波数帯域上で実施される。したがって小型セルがデータパケットのために無線資源をスケジュールする際に、データパケットを再伝送するために必要な無線資源が考慮される必要はなく、それは、無線資源をスケジュールするためのアルゴリズムの複雑性を効果的に低減することができる。さらに、基地局に必要であるのは再伝送機能を有することのみであり、また、小型セルは、再伝送機能を有する必要はないため、通信システムの構築費が効果的に低減され得る。
【０１６２】
実施形態８
図１３に示されているように、図１３は、本発明の実施形態１１による適応再送方法の信号に関するフローチャートである。適応再送方法は、実施形態４の通信システムに適用され、また、ユーザ機器が基地局および小型セルの重複カバレージ領域内に存在する通信システムのシナリオに適用することができる。本発明の実施形態８は、基地局が５ＧＨｚの周波数帯域を使用することによってユーザ機器と通信し、また、小型セルが２８ＧＨｚの周波数帯域を使用することによってユーザ機器と通信する例を使用することによって説明される。
【０１６３】
適応再送方法は以下のステップを含む。
【０１６４】
ステップＳ８０１．基地局がデータパケットのために２８ＧＨｚの周波数帯域上の無線資源をスケジュールする。
【０１６５】
基地局は、ＰＤＣＰ層、ＲＬＣ層、ＭＡＣ層およびＰＨＹ層を含む。最初に、基地局の層であるＰＤＣＰ層およびＲＬＣ層によってデータパケットが処理され、次に基地局のＭＡＣ層がデータパケットのために２８ＧＨｚの周波数帯域上の無線資源をスケジュールする。
【０１６６】
ステップＳ８０２．基地局がスケジューリング情報を小型セルに送信する。
【０１６７】
スケジューリング情報は、データパケットのために基地局のＭＡＣ層によってスケジュールされる２８ＧＨｚの周波数帯域上の無線資源に関する情報を含み、例えばデータパケットのサイズ、変調および符号化スキーム、および論理チャネル番号に関する情報を含む。
【０１６８】
ステップＳ８０３．基地局がデータパケットを小型セルに送信する。
【０１６９】
データパケットは、基地局の層であるＰＤＣＰ層、ＲＬＣ層およびＭＡＣ層によって処理されている。
【０１７０】
ステップＳ８０４．基地局がデータパケットをバッファする。
【０１７１】
基地局のＲＬＣ層は、小型セルがユーザ機器へのデータパケットの送信に失敗すると、データパケットがユーザ機器に再送信されるよう、小型セルに送信されるデータパケットをバッファする。
【０１７２】
ステップＳ８０５．小型セルが、データパケットのために基地局によってスケジュールされる２８ＧＨｚの周波数帯域上の無線資源を使用することによってデータパケットをユーザ機器に送信する。
【０１７３】
小型セルによって受信されるデータパケットは、基地局の層であるＰＤＣＰ層、ＲＬＣ層およびＭＡＣ層によって処理されたデータパケットであるため、小型セルは、ＰＤＣＰ層、ＲＬＣ層およびＭＡＣ層を有する必要はないが、小型セルの構築費を効果的に低減することができ、延いては通信システム全体の構築費を低減することができるＰＨＹ層だけは含んでいなければならない。
【０１７４】
小型セルがデータパケットを受信した後、小型セルのＰＨＹ層は、スケジューリング情報に従って、データパケットのために基地局のＭＡＣ層によってスケジュールされる２８ＧＨｚの周波数帯域上の無線資源を決定し、次に、データパケットのために基地局のＭＡＣ層によってスケジュールされる２８ＧＨｚの周波数帯域上の無線資源を使用することによってデータパケットをユーザ機器に送信する。
【０１７５】
ステップＳ８０６．基地局がバッファされたデータパケットを取得する。
【０１７６】
基地局のＭＡＣ層は、データパケットの識別子を決定し、かつ、識別子を基地局のＲＬＣ層に報告し、次に基地局のＲＬＣ層は、識別子に対応するバッファされたデータパケットを基地局のＭＡＣ層に送信する。
【０１７７】
ステップＳ８０７．基地局がデータパケットのために５ＧＨｚの周波数帯域上の無線資源をスケジュールする。
【０１７８】
基地局のＭＡＣ層がデータパケットを取得した後、基地局のＭＡＣ層は、データパケットのために５ＧＨｚの周波数帯域上の無線資源をスケジュールする。
【０１７９】
基地局は２つのＭＡＣ層を含むことができ、１つのＭＡＣ層は、データパケットのために２８ＧＨｚの周波数帯域上の無線資源をスケジュールし、また、他のＭＡＣ層は、データパケットのために５ＧＨｚの周波数帯域上の無線資源をスケジュールし、それによりデータパケットのために無線資源をスケジュールするための基地局の効率を改善することに留意されたい。
【０１８０】
基地局は、フィードバック情報を受信する前に、バッファされたデータパケットを取得し、かつ、データパケットのために５ＧＨｚの周波数帯域上の無線資源をスケジュールし、受信したフィードバック情報がＮＡＣＫ情報である場合、基地局がデータパケットのために無線資源をスケジュールするのを待機する必要はなく、データパケットは、データパケットのためにスケジュールされている５ＧＨｚの周波数帯域上の無線資源を使用することによって直接送信され、それによりデータパケットを再伝送するための時間を短くする。
【０１８１】
ステップＳ８０８．ユーザ機器が、データパケットが首尾よく送信されたかどうかを判定する。
【０１８２】
ステップＳ８０９．ユーザ機器がフィードバック情報を基地局に送信する。
【０１８３】
とりわけ、データパケットが首尾よく送信されたことをユーザ機器が判定すると、フィードバック情報はＡＣＫ情報であり、また、データパケットの送信が失敗したことをユーザ機器が判定すると、フィードバック情報はＮＡＣＫ情報である。
【０１８４】
フィードバック情報がＡＣＫ情報である場合、ステップＳ８１０が実行される。
【０１８５】
フィードバック情報がＮＡＣＫ情報である場合、ステップＳ８１１が実行される。
【０１８６】
任意選択で、ステップＳ８０９は２つのステップに分割され得る。図１４に示されているように、ステップＳ８０９は以下のステップを含む。
【０１８７】
ステップＳ８０９ａ．ユーザ機器がフィードバック情報を小型セルに送信する。
【０１８８】
ステップＳ８０９ｂ．小型セルがフィードバック情報を基地局に送信する。
【０１８９】
ステップＳ８１０．基地局がバッファされたデータパケットを削除する。
【０１９０】
基地局がユーザ機器によって送信されるＡＣＫ情報を受信すると、基地局のＭＡＣ層は、データパケットの識別子を決定し、かつ、識別子に対応するデータパケットが首尾よく送信されたことを基地局のＲＬＣ層に報告し、次に基地局のＲＬＣ層は、識別子に対応するバッファされたデータパケットを削除する。
【０１９１】
ステップＳ８１１．基地局が、５ＧＨｚの周波数帯域上のスケジュールされた無線資源を使用することによってデータパケットをユーザ機器に送信する。
【０１９２】
基地局がユーザ機器によって送信されるＮＡＣＫ情報を受信すると、基地局のＰＨＹ層は、データパケットのために基地局のＭＡＣ層によってスケジュールされる５ＧＨｚの周波数帯域上の無線資源を使用することによってデータパケットをユーザ機器に送信する。
【０１９３】
基地局によって再送信されたデータパケットを受信した後、ユーザ機器は、もう一度ステップＳ８０６乃至ステップＳ８１１を実行することができることが理解され得る。
【０１９４】
本発明の実施形態８で提供される適応再送方法によれば、データパケットは、最初は、第１の周波数帯域（２８ＧＨｚ）上の無線資源を使用することによって、基地局によって小型セルを介してユーザ機器に送信され、また、データパケットは、第２の周波数帯域（５ＧＨｚ）上の無線資源を使用することによってユーザ機器に再送信される。つまり、データパケットの最初の送信およびデータパケットの再送信は、異なる周波数帯域上で実施される。したがって小型セルがデータパケットのために無線資源をスケジュールする際に、データパケットを再伝送するために必要な無線資源が考慮される必要はなく、それは、無線資源をスケジュールするためのアルゴリズムの複雑性を効果的に低減することができる。さらに、基地局に必要であるのは再伝送機能を有することのみであり、また、小型セルは、再伝送機能を有する必要はないため、通信システムの構築費が効果的に低減され得る。
【０１９５】
実施形態９
図１５に示されているように、図１５は、本発明の実施形態９による通信システムのアーキテクチャの概略図である。通信システムは、基地局４０およびユーザ機器５０を含む。基地局４０は、実施形態１で提供される基地局であってもよく、また、ユーザ機器５０は、実施形態２で提供されるユーザ機器であってもよい。
【０１９６】
基地局４０は、少なくとも２つの周波数帯域を使用してユーザ機器５０と通信する。比較的高い周波数の周波数帯域は比較的狭いカバレージ領域を有し、また、比較的低い周波数の周波数帯域は比較的広いカバレージ領域を有する。図１６に示されているように、基地局４０は２つの周波数帯域を使用してユーザ機器５０と通信し、比較的高い周波数の周波数帯域のカバレージ領域内に存在するユーザ機器５０は、同時に２つの周波数帯域を使用して基地局４０と通信することができる。しかしながら比較的高い周波数の周波数帯域のカバレージ領域外に存在し、かつ、比較的低い周波数の周波数帯域のカバレージ領域内に存在するユーザ機器５０は、比較的低い周波数の周波数帯域のみを使用して基地局４０と通信することができる。
【０１９７】
基地局４０のカバレージ領域内に存在するユーザ機器によって受信または送信されるデータパケットは、基地局４０を使用することによってコアネットワークと交換され、つまりユーザ機器５０のダウンリンクデータがコアネットワークから基地局４０に引き渡され、また、基地局４０は、１または複数の周波数帯域を使用してダウンリンクデータを直接ユーザ機器５０に送信することができる。
【０１９８】
実施形態１０
図１６に示されているように、図１６は、本発明の実施形態１０による適応再送方法の信号に関するフローチャートである。適応再送方法は、実施形態９の通信システムに適用され、また、ユーザ機器が基地局の最も低い周波数帯域のカバレージ領域内に存在する通信システムのシナリオに適用することができる。本発明の実施形態１０は、基地局が５ＧＨｚの周波数帯域および２８ＧＨｚの周波数帯域を使用することによってユーザ機器と通信する例を使用することによって説明される。
【０１９９】
適応再送方法は以下のステップを含む。
【０２００】
ステップＳ１００１．基地局がデータパケットのために２８ＧＨｚの周波数帯域上の無線資源をスケジュールする。
【０２０１】
基地局は、ＰＤＣＰ層、ＲＬＣ層、ＭＡＣ層およびＰＨＹ層を含む。最初に、基地局の層であるＰＤＣＰ層およびＲＬＣ層によってデータパケットが処理され、次に基地局のＭＡＣ層がデータパケットのために２８ＧＨｚの周波数帯域上の無線資源をスケジュールする。
【０２０２】
ステップＳ１００２．基地局が、２８ＧＨｚの周波数帯域上のスケジュールされた無線資源を使用することによってデータパケットをユーザ機器に送信する。
【０２０３】
基地局のＰＨＹ層は、データパケットのために基地局のＭＡＣ層によってスケジュールされる２８ＧＨｚの周波数帯域上の無線資源を使用することによってデータパケットをユーザ機器に送信する。
【０２０４】
ステップＳ１００３．基地局がデータパケットをバッファする。
【０２０５】
基地局のＲＬＣ層は、基地局がユーザ機器へのデータパケットの送信に失敗すると、データパケットがユーザ機器に再送信されるよう、ユーザ機器に送信されるデータパケットをバッファする。
【０２０６】
ステップＳ１００４．ユーザ機器が、データパケットが首尾よく送信されたかどうかを判定する。
【０２０７】
ステップＳ１００５．ユーザ機器がフィードバック情報を基地局に送信する。
【０２０８】
とりわけ、データパケットが首尾よく送信されたことをユーザ機器が判定すると、フィードバック情報はＡＣＫ情報であり、また、データパケットの送信が失敗したことをユーザ機器が判定すると、フィードバック情報はＮＡＣＫ情報である。
【０２０９】
フィードバック情報がＡＣＫ情報である場合、ステップＳ１００６が実行される。
【０２１０】
フィードバック情報がＮＡＣＫ情報である場合、ステップＳ１００７乃至ステップＳ１００９が実行される。
【０２１１】
ステップＳ１００６．基地局がバッファされたデータパケットを削除する。
【０２１２】
基地局がユーザ機器によって送信されるＡＣＫ情報を受信すると、基地局のＭＡＣ層は、データパケットの識別子を決定し、かつ、識別子に対応するデータパケットが首尾よく送信されたことを基地局のＲＬＣ層に報告し、次に基地局のＲＬＣ層は、識別子に対応するバッファされたデータパケットを削除する。
【０２１３】
ステップＳ１００７．基地局がバッファされたデータパケットを取得する。
【０２１４】
基地局がユーザ機器によって送信されるＮＡＣＫ情報を受信すると、基地局のＭＡＣ層は、データパケットの識別子を決定し、かつ、識別子に対応するデータパケットの送信が失敗したことを基地局のＲＬＣ層に報告し、次に基地局のＲＬＣ層は、識別子に対応するバッファされたデータパケットを基地局のＭＡＣ層に送信する。
【０２１５】
ステップＳ１００８．基地局がデータパケットのために５ＧＨｚの周波数帯域上の無線資源をスケジュールする。
【０２１６】
基地局のＭＡＣ層がデータパケットを取得した後、基地局のＭＡＣ層は、データパケットのために５ＧＨｚの周波数帯域上の無線資源をスケジュールする。
【０２１７】
基地局は２つのＭＡＣ層を含むことができ、１つのＭＡＣ層は、データパケットのために２８ＧＨｚの周波数帯域上の無線資源をスケジュールし、また、他のＭＡＣ層は、データパケットのために５ＧＨｚの周波数帯域上の無線資源をスケジュールし、それによりデータパケットのために無線資源をスケジュールするための基地局の効率を改善することに留意されたい。
【０２１８】
基地局がフィードバック情報を受信し、フィードバック情報がＮＡＣＫ情報である場合、基地局は、バッファされたデータパケットの取得を開始し、かつ、データパケットのために５ＧＨｚの周波数帯域上の無線資源をスケジュールし、つまり基地局は、再伝送される必要があるデータパケットのためにのみ５ＧＨｚの周波数帯域上の無線資源をスケジュールし、それは、無線資源の利用を改善することができる。ステップＳ１００９．基地局が、５ＧＨｚの周波数帯域上のスケジュールされた無線資源を使用することによってデータパケットをユーザ機器に送信する。
【０２１９】
基地局のＭＡＣ層がデータパケットのために５ＧＨｚの周波数帯域上の無線資源をスケジュールした後、基地局のＰＨＹ層は、データパケットのために基地局のＭＡＣ層によってスケジュールされる５ＧＨｚの周波数帯域上の無線資源を使用することによってデータパケットをユーザ機器に送信する。
【０２２０】
基地局によって再送信されたデータパケットを受信した後、ユーザ機器は、もう一度ステップＳ１００４乃至ステップＳ１００９を実行することができることが理解され得る。
【０２２１】
本発明の実施形態１０で提供される適応再送方法によれば、基地局は、最初は第１の周波数帯域上の無線資源を使用することによってデータパケットをユーザ機器に送信し、データパケットの送信が失敗すると、基地局は、第２の周波数帯域上の無線資源を使用することによってデータパケットをユーザ機器に送信する。データパケットは、最初は第１の周波数帯域上の無線資源を使用することによって基地局によってユーザ機器に送信され、また、データパケットは、第２の周波数帯域上の無線資源を使用することによってユーザ機器に再送信される。つまり、データパケットの最初の送信およびデータパケットの再送信は、異なる周波数帯域上で実施される。したがって基地局がデータパケットのために第１の周波数帯域上の無線資源をスケジュールする際に、データパケットを再伝送するために必要な無線資源が考慮される必要はなく、それは、無線資源をスケジュールするためのアルゴリズムの複雑性を効果的に低減することができる。
【０２２２】
実施形態１１
図１７に示されているように、図１７は、本発明の実施形態１１による適応再送方法の信号に関するフローチャートである。適応再送方法は、実施形態９の通信システムに適用され、また、ユーザ機器が基地局の最も低い周波数帯域のカバレージ領域内に存在する通信システムのシナリオに適用することができる。本発明の実施形態１１は、基地局が５ＧＨｚの周波数帯域および２８ＧＨｚの周波数帯域を使用することによってユーザ機器と通信する例を使用することによって説明される。
【０２２３】
適応再送方法は以下のステップを含む。
【０２２４】
ステップＳ１１０１．基地局がデータパケットのために２８ＧＨｚの周波数帯域上の無線資源をスケジュールする。
【０２２５】
基地局は、ＰＤＣＰ層、ＲＬＣ層、ＭＡＣ層およびＰＨＹ層を含む。最初に、基地局の層であるＰＤＣＰ層およびＲＬＣ層によってデータパケットが処理され、次に基地局のＭＡＣ層がデータパケットのために２８ＧＨｚの周波数帯域上の無線資源をスケジュールする。
【０２２６】
ステップＳ１１０２．基地局が、２８ＧＨｚの周波数帯域上のスケジュールされた無線資源を使用することによってデータパケットをユーザ機器に送信する。
【０２２７】
基地局のＰＨＹ層は、データパケットのために基地局のＭＡＣ層によってスケジュールされる２８ＧＨｚの周波数帯域上の無線資源を使用することによってデータパケットをユーザ機器に送信する。
【０２２８】
ステップＳ１１０３．基地局がデータパケットをバッファする。
【０２２９】
基地局のＲＬＣ層は、基地局がユーザ機器へのデータパケットの送信に失敗すると、データパケットがユーザ機器に再送信されるよう、ユーザ機器に送信されるデータパケットをバッファする。
【０２３０】
ステップＳ１１０４．基地局がバッファされたデータパケットを取得する。
【０２３１】
基地局のＭＡＣ層は、データパケットの識別子を決定し、かつ、識別子に対応するデータパケットの送信が失敗したことを基地局のＲＬＣ層に報告し、次に基地局のＲＬＣ層は、識別子に対応するバッファされたデータパケットを基地局のＭＡＣ層に送信する。
【０２３２】
ステップＳ１１０５．基地局がデータパケットのために５ＧＨｚの周波数帯域上の無線資源をスケジュールする。
【０２３３】
基地局のＭＡＣ層がデータパケットを取得した後、基地局のＭＡＣ層は、データパケットのために５ＧＨｚの周波数帯域上の無線資源をスケジュールする。
【０２３４】
基地局は２つのＭＡＣ層を含むことができ、１つのＭＡＣ層は、データパケットのために２８ＧＨｚの周波数帯域上の無線資源をスケジュールし、また、他のＭＡＣ層は、データパケットのために５ＧＨｚの周波数帯域上の無線資源をスケジュールし、それによりデータパケットのために無線資源をスケジュールするための基地局の効率を改善することに留意されたい。
【０２３５】
基地局は、フィードバック情報を受信する前に、バッファされたデータパケットを取得し、かつ、データパケットのために５ＧＨｚの周波数帯域上の無線資源をスケジュールし、受信したフィードバック情報がＮＡＣＫ情報である場合、基地局がデータパケットのために無線資源をスケジュールするのを待機する必要はなく、データパケットは、データパケットのためにスケジュールされている５ＧＨｚの周波数帯域上の無線資源を使用することによって直接送信され、それによりデータパケットを再伝送するための時間を短くする。
【０２３６】
ステップＳ１１０６．ユーザ機器が、データパケットが首尾よく送信されたかどうかを判定する。
【０２３７】
ステップＳ１１０７．ユーザ機器がフィードバック情報を基地局に送信する。
【０２３８】
とりわけ、データパケットが首尾よく送信されたことをユーザ機器が判定すると、フィードバック情報はＡＣＫ情報であり、また、データパケットの送信が失敗したことをユーザ機器が判定すると、フィードバック情報はＮＡＣＫ情報である。
【０２３９】
フィードバック情報がＡＣＫ情報である場合、ステップＳ１１０８が実行される。
【０２４０】
フィードバック情報がＮＡＣＫ情報である場合、ステップＳ１１０９が実行される。
【０２４１】
ステップＳ１１０８．基地局がバッファされたデータパケットを削除する。
【０２４２】
基地局がユーザ機器によって送信されるＡＣＫ情報を受信すると、基地局のＭＡＣ層は、データパケットの識別子を決定し、かつ、識別子に対応するデータパケットが首尾よく送信されたことを基地局のＲＬＣ層に報告し、次に基地局のＲＬＣ層は、識別子に対応するバッファされたデータパケットを削除する。
【０２４３】
ステップＳ１１０９．基地局が、５ＧＨｚの周波数帯域上のスケジュールされた無線資源を使用することによってデータパケットをユーザ機器に送信する。
【０２４４】
基地局がユーザ機器によって送信されるＮＡＣＫ情報を受信すると、基地局のＰＨＹ層は、データパケットのために基地局のＭＡＣ層によってスケジュールされる５ＧＨｚの周波数帯域上の無線資源を使用することによってデータパケットをユーザ機器に送信する。
【０２４５】
基地局によって再送信されたデータパケットを受信した後、ユーザ機器は、もう一度ステップＳ１１０４乃至ステップＳ１１０９を実行することができることが理解され得る。
【０２４６】
本発明の実施形態１１で提供される適応再送方法によれば、基地局は、最初は第１の周波数帯域上の無線資源を使用することによってデータパケットをユーザ機器に送信し、データパケットの送信が失敗すると、基地局は、第２の周波数帯域上の無線資源を使用することによってデータパケットをユーザ機器に送信する。データパケットは、最初は第１の周波数帯域上の無線資源を使用することによって基地局によってユーザ機器に送信され、また、データパケットは、第２の周波数帯域上の無線資源を使用することによってユーザ機器に再送信される。つまり、データパケットの最初の送信およびデータパケットの再送信は、異なる周波数帯域上で実施される。したがって基地局がデータパケットのために第１の周波数帯域上の無線資源をスケジュールする際に、データパケットを再伝送するために必要な無線資源が考慮される必要はなく、それは、無線資源をスケジュールするためのアルゴリズムの複雑性を効果的に低減することができる。
【０２４７】
当業者は、本明細書において開示された実施形態で説明された例と組み合わせて、ユニットおよびアルゴリズムステップは、電子ハードウェア、コンピュータソフトウェアまたはそれらの組合せによって実現され得ることにさらに気がつくことができる。ハードウェアとソフトウェアの間の互換性を明確に説明するために、上では、一般に、機能に従って個々の例の構成およびステップを説明した。機能がハードウェアまたはソフトウェアによって実施されるかどうかは、技術的解決法の特定のアプリケーションおよび設計制約条件で決まる。当業者は、異なる方法を使用して、説明された機能を個々の特定のアプリケーションに対して実現することができるが、実施態様は本発明の範囲外であると見なされるべきではない。
【０２４８】
本明細書において開示された実施形態で説明された方法またはアルゴリズムのステップは、ハードウェア、プロセッサによって実行されるソフトウェアモジュールまたはそれらの組合せによって実現され得る。ソフトウェアモジュールは、ランダムアクセスメモリ（ＲＡＭ）、メモリ、リードオンリメモリ（ＲＯＭ）、電気的プログラマブルＲＯＭ、電気的消去可能プログラマブルＲＯＭ、レジスタ、ハードディスク、取外し可能ディスク、ＣＤ−ＲＯＭ、または当分野で知られている任意の他の形態の記憶媒体に常駐させることができる。
【０２４９】
上記特定の実施態様方式では、本発明の目的、技術的解決法および利点がさらに詳細に説明されている。上記説明は、単に本発明の特定の実施態様方式にすぎず、本発明の保護範囲を制限することは意図されていないことを理解されたい。本発明の精神および原理から逸脱することなくなされる任意の修正、等価置換または改善は、本発明の保護範囲の範疇であるものとする。
【図１】
2017510173.tif 000003
【図２】
2017510173.tif 000004
【図３】
2017510173.tif 000005
【図４】
2017510173.tif 000006
【図５】
2017510173.tif 000007
【図６】
2017510173.tif 000008
【図７】
2017510173.tif 000009
【図８】
2017510173.tif 000010
【図９】
2017510173.tif 000011
【図１０】
2017510173.tif 000012
【図１１】
2017510173.tif 000013
【図１２】
2017510173.tif 000014
【図１３】
2017510173.tif 000015
【図１４】
2017510173.tif 000016
【図１５】
2017510173.tif 000017
【図１６】
2017510173.tif 000018
【図１７】
2017510173.tif 000019
【手続補正書】
【提出日】平成28年9月9日(2016.9.9)
【手続補正１】
【補正対象書類名】明細書
【補正対象項目名】全文
【補正方法】変更
【補正の内容】
【発明の詳細な説明】
【技術分野】
【０００１】
本発明は通信技術の分野に関し、詳細には、基地局、ユーザ機器および適応再送方法に関する。
【背景技術】
【０００２】
既存の通信システムでは、個々の基地局は適応再送機能を有している。基地局がユーザ機器へのデータパケットの送信に失敗すると、基地局は、ユーザ機器がデータパケットを適切に受信することができることを保証するために、ユーザ機器にデータパケットを再送信する。基地局は、同じ周波数帯域上の無線資源を使用して最初にデータパケットを送信し、かつ、データパケットを再送信する。したがって、最初にデータパケットを送信し、かつ、データパケットのために無線資源をスケジュールする場合、基地局は、データパケットを再送するために必要な無線資源を考慮しなければならず、それは、無線資源をスケジュールするための比較的複雑なアルゴリズムをもたらしている。さらに、個々の基地局は適応再送機能を有していなければならないため、再送スケジューリングモジュールおよびバッファモジュールなどのモジュールは、基地局のために構成されなければならず、それは、通信システム全体の比較的高い構築費をもたらしている。
【発明の概要】
【課題を解決するための手段】
【０００３】
この観点から、本発明の実施形態は、無線資源をスケジュールするためのアルゴリズムの複雑性を効果的に低減することができ、また、通信システムの構築費を効果的に低減することができる、基地局、ユーザ機器および適応再送方法を提供する。
【０００４】
第１の態様によれば、本発明の実施形態は基地局を提供し、基地局は、
第１の周波数帯域上の無線資源を使用することによってデータパケットをユーザ機器に送信するように構成された送信ユニットと、
ユーザ機器によって送信されるフィードバック情報を受信するように構成された受信ユニットであって、データパケットが首尾よく送信されたかどうかを示すためにフィードバック情報が使用される受信ユニットと
を含み、
送信ユニットは、データパケットの送信が失敗したことをフィードバック情報が示している場合、第２の周波数帯域上の無線資源を使用することによってデータパケットをユーザ機器に送信するようにさらに構成され、
第１の周波数帯域および第２の周波数帯域は重複カバレージ領域を有し、ユーザ機器は重複カバレージ領域内に存在する。
【０００５】
第１の態様の第１の可能実施態様方式では、送信ユニットは、特に、小型セルが第１の周波数帯域上の無線資源を使用することによってデータパケットをユーザ機器に送信するよう、データパケットを小型セルに送信するように構成される。
【０００６】
第１の態様の第１の可能実施態様方式を参照すると、第２の可能実施態様方式では、基地局は、送信ユニットが第１の周波数帯域上の無線資源を使用することによってデータパケットをユーザ機器に送信する前に、データパケットのために第１の周波数帯域上の無線資源をスケジュールするように構成された第１のスケジューリングユニットをさらに含み、送信ユニットは、スケジューリング情報を小型セルに送信するようにさらに構成され、スケジューリング情報は、小型セルが、第１の周波数帯域上のスケジュールされた無線資源を使用することによって、スケジューリング情報に従ってデータパケットをユーザ機器に送信するよう、データパケットのためにスケジュールされる第１の周波数帯域上の無線資源に関する情報を含む。
【０００７】
第１の態様の第１の可能実施態様方式を参照すると、第３の可能実施態様方式では、受信ユニットは、送信ユニットがデータパケットをユーザ機器に送信した後、小型セルによって送信されるデータパケット情報を受信するようにさらに構成され、データパケット情報はデータパケットの識別子を含む。
【０００８】
第１の態様もしくは第１の態様の第１の可能実施態様方式または第１の態様の第２の可能実施態様方式あるいは第１の態様の第３の可能実施態様方式を参照すると、第４の可能実施態様方式では、基地局は、受信ユニットがユーザ機器によって送信されるフィードバック情報を受信する前に、バッファされたデータパケットをデータパケットの識別子に従って取得するように構成された取得ユニットと、データパケットのために第２の周波数帯域上の無線資源をスケジュールするように構成された第２のスケジューリングユニットとをさらに含む。
【０００９】
第１の態様もしくは第１の態様の第１の可能実施態様方式または第１の態様の第２の可能実施態様方式あるいは第１の態様の第３の可能実施態様方式を参照すると、第５の可能実施態様方式では、基地局は、受信ユニットがユーザ機器によって送信されるフィードバック情報を受信した後、バッファされたデータパケットをデータパケットの識別子に従って取得するように構成された取得ユニットと、データパケットのために第２の周波数帯域上の無線資源をスケジュールするように構成された第２のスケジューリングユニットとをさらに含む。
【００１０】
第１の態様もしくは第１の態様の第１の可能実施態様方式または第１の態様の第２の可能実施態様方式あるいは第１の態様の第３の可能実施態様方式、もしくは第１の態様の第４の可能実施態様方式または第１の態様の第５の可能実施態様方式を参照すると、第６の可能実施態様方式では、第１の周波数帯域は第２の周波数帯域より高い。
【００１１】
第２の態様によれば、本発明の実施形態はユーザ機器を提供し、ユーザ機器は、
基地局によって第１の周波数帯域上の無線資源を使用することによって送信されるデータパケットを受信するように構成された受信ユニットと、
データパケットが首尾よく送信されたかどうかを判定するように構成された判定ユニットと、
フィードバック情報を基地局に送信するように構成された送信ユニットであって、データパケットが首尾よく送信されたかどうかを示すためにフィードバック情報が使用される送信ユニットと
を含み、
受信ユニットは、データパケットの送信が失敗したことをフィードバック情報が示している場合、基地局によって第２の周波数帯域上の無線資源を使用することによって送信されるデータパケットを受信するようにさらに構成され、
第１の周波数帯域および第２の周波数帯域は重複カバレージ領域を有し、ユーザ機器は重複カバレージ領域内に存在する。
【００１２】
第２の態様の第１の可能実施態様方式では、送信ユニットは、特に、小型セルを使用することによってフィードバック情報を基地局に送信するように構成される。
【００１３】
第２の態様または第２の態様の第１の可能実施態様方式を参照すると、第２の可能実施態様方式では、第１の周波数帯域は第２の周波数帯域より高い。
【００１４】
第３の態様を参照すると、本発明の実施形態は適応再送方法を提供し、方法は、
第１の周波数帯域上の無線資源を使用することによってデータパケットをユーザ機器に送信するステップと、
ユーザ機器によって送信されるフィードバック情報を受信するステップであって、データパケットが首尾よく送信されたかどうかを示すためにフィードバック情報が使用されるステップと、
データパケットの送信が失敗したことをフィードバック情報が示している場合、第２の周波数帯域上の無線資源を使用することによってデータパケットをユーザ機器に送信するステップと
を含み、
第１の周波数帯域および第２の周波数帯域は重複カバレージ領域を有し、ユーザ機器は重複カバレージ領域内に存在する。
【００１５】
第３の態様の第１の可能実施態様方式では、第１の周波数帯域上の無線資源を使用することによってデータパケットをユーザ機器に送信するステップは、特に、小型セルが第１の周波数帯域上の無線資源を使用することによってデータパケットをユーザ機器に送信するよう、データパケットを小型セルに送信するステップである。
【００１６】
第３の態様の第１の可能実施態様方式を参照すると、第２の可能実施態様方式では、第１の周波数帯域上の無線資源を使用することによってデータパケットをユーザ機器に送信するステップの前に、方法は、データパケットのために第１の周波数帯域上の無線資源をスケジュールするステップと、スケジューリング情報を小型セルに送信するステップであって、スケジューリング情報は、小型セルが、第１の周波数帯域上のスケジュールされた無線資源を使用することによって、スケジューリング情報に従ってデータパケットをユーザ機器に送信するよう、データパケットのためにスケジュールされる第１の周波数帯域上の無線資源に関する情報を含むステップとをさらに含む。
【００１７】
第３の態様の第１の可能実施態様方式を参照すると、第３の可能実施態様方式では、第１の周波数帯域上の無線資源を使用することによってデータパケットをユーザ機器に送信するステップの後、方法は、小型セルによって送信されるデータパケット情報を受信するステップであって、データパケット情報はデータパケットの識別子を含むステップをさらに含む。
【００１８】
第３の態様もしくは第３の態様の第１の可能実施態様方式または第３の態様の第２の可能実施態様方式あるいは第３の態様の第３の可能実施態様方式を参照すると、第４の可能実施態様方式では、ユーザ機器によって送信されるフィードバック情報を受信するステップの前に、方法は、バッファされたデータパケットをデータパケットの識別子に従って取得するステップと、データパケットのために第２の周波数帯域上の無線資源をスケジュールするステップとをさらに含む。
【００１９】
第３の態様もしくは第３の態様の第１の可能実施態様方式または第３の態様の第２の可能実施態様方式あるいは第３の態様の第３の可能実施態様方式を参照すると、第５の可能実施態様方式では、ユーザ機器によって送信されるフィードバック情報を受信するステップの後、方法は、バッファされたデータパケットをデータパケットの識別子に従って取得するステップと、データパケットのために第２の周波数帯域上の無線資源をスケジュールするステップとをさらに含む。
【００２０】
第３の態様もしくは第３の態様の第１の可能実施態様方式または第３の態様の第２の可能実施態様方式あるいは第３の態様の第３の可能実施態様方式、もしくは第３の態様の第４の可能実施態様方式または第３の態様の第５の可能実施態様方式を参照すると、第６の可能実施態様方式では、第１の周波数帯域は第２の周波数帯域より高い。
【００２１】
上記解決法によれば、基地局は、最初は第１の周波数帯域上の無線資源を使用することによってデータパケットをユーザ機器に送信し、データパケットの送信が失敗すると、基地局は、第２の周波数帯域上の無線資源を使用することによってデータパケットをユーザ機器に送信する。データパケットは、最初は第１の周波数帯域上の無線資源を使用することによって基地局によってユーザ機器に送信され、また、データパケットは、第２の周波数帯域上の無線資源を使用することによってユーザ機器に再送信される。つまり、データパケットの最初の送信およびデータパケットの再送信は、異なる周波数帯域上で実施される。したがって基地局がデータパケットのために第１の周波数帯域上の無線資源をスケジュールする際に、データパケットを再伝送するために必要な無線資源が考慮される必要はなく、それは、無線資源をスケジュールするためのアルゴリズムの複雑性を効果的に低減することができる。
【図面の簡単な説明】
【００２２】
【図１】本発明の実施形態１による基地局の概略構成図である。
【図２】本発明の実施形態１による別の基地局の概略構成図である。
【図３】本発明の実施形態１によるさらに別の基地局の概略構成図である。
【図４】本発明の実施形態２によるユーザ機器の概略構成図である。
【図５】本発明の実施形態３による適応再送方法のフローチャートである。
【図６】本発明の実施形態４による通信システムのアーキテクチャの概略図である。
【図７】本発明の実施形態５による適応再送方法の信号に関するフローチャートである。
【図８】本発明の実施形態５による別の適応再送方法の信号に関するフローチャートである。
【図９】本発明の実施形態６による適応再送方法の信号に関するフローチャートである。
【図１０】本発明の実施形態６による別の適応再送方法の信号に関するフローチャートである。
【図１１】本発明の実施形態７による適応再送方法の信号に関するフローチャートである。
【図１２】本発明の実施形態７による別の適応再送方法の信号に関するフローチャートである。
【図１３】本発明の実施形態８による適応再送方法の信号に関するフローチャートである。
【図１４】本発明の実施形態８による別の適応再送方法の信号に関するフローチャートである。
【図１５】本発明の実施形態９による通信システムのアーキテクチャの概略図である。
【図１６】本発明の実施形態１０による適応再送方法の信号に関するフローチャートである。
【図１７】本発明の実施形態１１による適応再送方法の信号に関するフローチャートである。
【発明を実施するための形態】
【００２３】
本発明の目的、技術的解決法および利点をより明確にするために、以下、添付の図面を参照して、本発明をさらに詳細に説明する。明らかに、説明される実施形態は、本発明の実施形態の一部にすぎず、すべてではない。創造的な努力を必要とすることなく、本発明の実施形態に基づいて当業者によって獲得されるすべての他の実施形態は、本発明の保護範囲の範疇であるものとする。
【００２４】
実施形態１
図１に示されているように、図１は、本発明の実施形態１による基地局の概略構成図である。基地局は、送信ユニット１１０および受信ユニット１２０を含む。
【００２５】
送信ユニット１１０は、第１の周波数帯域上の無線資源を使用することによってデータパケットをユーザ機器に送信するように構成される。
【００２６】
受信ユニット１２０は、ユーザ機器によって送信されるフィードバック情報を受信するように構成され、フィードバック情報は、データパケットが首尾よく送信されたかどうかを示すために使用される。
【００２７】
送信ユニット１１０は、データパケットの送信が失敗したことをフィードバック情報が示している場合、第２の周波数帯域上の無線資源を使用することによってデータパケットをユーザ機器に送信するようにさらに構成される。
【００２８】
第１の周波数帯域および第２の周波数帯域は重複カバレージ領域を有し、ユーザ機器は重複カバレージ領域内に存在する。
【００２９】
さらに、送信ユニット１１０は、とりわけ、
小型セルが第１の周波数帯域上の無線資源を使用することによってデータパケットをユーザ機器に送信するよう、データパケットを小型セルに送信する
ように構成される。
【００３０】
さらに、図２に示されているように、基地局は、第１のスケジューリングユニット１３０をさらに含むことができる。
【００３１】
第１のスケジューリングユニット１３０は、第１の周波数帯域上の無線資源を使用することによってデータパケットをユーザ機器に送信する前に、データパケットのために第１の周波数帯域上の無線資源をスケジュールするように構成される。それに応じて送信ユニット１１０は、スケジューリング情報を小型セルに送信するようにさらに構成され、スケジューリング情報は、小型セルが、第１の周波数帯域上のスケジュールされた無線資源を使用することによって、スケジューリング情報に従ってデータパケットをユーザ機器に送信するよう、データパケットのためにスケジュールされる第１の周波数帯域上の無線資源に関する情報を含む。
【００３２】
さらに、受信ユニット１２０は、第１の周波数帯域上の無線資源を使用することによってデータパケットがユーザ機器に送信された後、小型セルによって送信されるデータパケット情報を受信するようにさらに構成され、データパケット情報はデータパケットの識別子を含む。
【００３３】
さらに、図３に示されているように、基地局は、取得ユニット１４０および第２のスケジューリングユニット１５０をさらに含むことができる。
【００３４】
取得ユニット１４０は、受信ユニット１２０がユーザ機器によって送信されるフィードバック情報を受信する前に、または受信ユニット１２０がユーザ機器によって送信されるフィードバック情報を受信した後に、バッファされたデータパケットをデータパケットの識別子に従って取得するように構成され、また、第２のスケジューリングユニット１５０は、データパケットのために第２の周波数帯域上の無線資源をスケジュールするように構成される。
【００３５】
さらに、第１の周波数帯域は第２の周波数帯域より高い。
【００３６】
ハードウェア実施態様では、上記送信ユニット１１０は、送信機またはトランシーバであってもよく、上記受信ユニット１２０は、受信機またはトランシーバであってもよく、また、送信ユニット１１０および受信ユニット１２０は、ハードウェア実施態様に対応するトランシーバである送受信ユニットを形成するために統合され得る。上記第１のスケジューリングユニット１３０、取得ユニット１４０および第２のスケジューリングユニット１５０は、プロセッサが上記モジュールの各々に対応する操作を呼び出し、かつ、実行するよう、基地局のプロセッサの中にハードウェア形態で組み込まれることができ、もしくは独立したハードウェア形態であってもよく、またはソフトウェア形態で基地局のメモリに記憶されることも可能である。プロセッサは、中央処理装置（ＣＰＵ）、マイクロプロセッサ、シングルチップマイクロコンピュータ、等々であってもよい。
【００３７】
本発明の実施形態１で提供される基地局によれば、基地局は、最初は第１の周波数帯域上の無線資源を使用することによってデータパケットをユーザ機器に送信し、データパケットの送信が失敗すると、基地局は、第２の周波数帯域上の無線資源を使用することによってデータパケットをユーザ機器に送信する。データパケットは、最初は第１の周波数帯域上の無線資源を使用することによって基地局によってユーザ機器に送信され、また、データパケットは、第２の周波数帯域上の無線資源を使用することによってユーザ機器に再送信される。つまり、データパケットの最初の送信およびデータパケットの再送信は、異なる周波数帯域上で実施される。したがって基地局がデータパケットのために第１の周波数帯域上の無線資源をスケジュールする際に、データパケットを再伝送するために必要な無線資源が考慮される必要はなく、それは、無線資源をスケジュールするためのアルゴリズムの複雑性を効果的に低減することができる。
【００３８】
実施形態２
図４に示されているように、図４は、本発明の実施形態２によるユーザ機器の概略構成図である。ユーザ機器は、受信ユニット２１０、判定ユニット２２０および送信ユニット２３０を含む。
【００３９】
受信ユニット２１０は、基地局によって第１の周波数帯域上の無線資源を使用することによって送信されるデータパケットを受信するように構成される。
【００４０】
判定ユニット２２０は、データパケットが首尾よく送信されたかどうかを判定するように構成される。
【００４１】
送信ユニット２３０はフィードバック情報を基地局に送信するように構成され、フィードバック情報は、データパケットが首尾よく送信されたかどうかを示すために使用される。
【００４２】
受信ユニット２１０は、データパケットの送信が失敗したことをフィードバック情報が示している場合、基地局によって第２の周波数帯域上の無線資源を使用することによって送信されるデータパケットを受信するようにさらに構成される。
【００４３】
第１の周波数帯域および第２の周波数帯域は重複カバレージ領域を有し、ユーザ機器は重複カバレージ領域内に存在する。第１の周波数帯域および第２の周波数帯域が重複カバレージ領域を有することは、複数の形態で提供され得る。例えば第１の周波数帯域のカバレージ領域の一部が第２の周波数帯域のカバレージ領域の一部と重複し、または１つの周波数帯域のカバレージ領域が他の周波数帯域のカバレージ領域内に存在する。
【００４４】
さらに、送信ユニット２３０は、とりわけ、小型セルを使用することによってフィードバック情報を基地局に送信するように構成される。
【００４５】
さらに、第１の周波数帯域は第２の周波数帯域より高い。
【００４６】
ハードウェア実施態様では、上記受信ユニット２１０は、受信機またはトランシーバであってもよく、上記送信ユニット２３０は、送信機またはトランシーバであってもよく、また、受信ユニット２１０および送信ユニット２３０は、ハードウェア実施態様に対応するトランシーバである送受信ユニットを形成するために統合され得る。上記判定ユニット２２０は、プロセッサが上記モジュールの各々に対応する操作を呼び出し、かつ、実行するよう、ユーザ機器のプロセッサの中にハードウェア形態で組み込まれることができ、もしくは独立したハードウェア形態であってもよく、またはソフトウェア形態で基地局のメモリに記憶されることも可能である。プロセッサは、中央処理装置（ＣＰＵ）、マイクロプロセッサ、シングルチップマイクロコンピュータ、等々であってもよい。
【００４７】
本発明の実施形態２で提供されるユーザ機器によれば、ユーザ機器は、最初は、基地局によって第１の周波数帯域上の無線資源を使用することによって送信されるデータパケットを受信し、データパケットの送信が失敗すると、ユーザ機器は、基地局によって第２の周波数帯域上の無線資源を使用することによって送信されるデータパケットを受信する。データパケットは、最初は第１の周波数帯域上の無線資源を使用することによって基地局によってユーザ機器に送信され、また、データパケットは、第２の周波数帯域上の無線資源を使用することによってユーザ機器に再送信される。つまり、データパケットの最初の送信およびデータパケットの再送信は、異なる周波数帯域上で実施される。したがって基地局がデータパケットのために第１の周波数帯域上の無線資源をスケジュールする際に、データパケットを再伝送するために必要な無線資源が考慮される必要はなく、それは、無線資源をスケジュールするためのアルゴリズムの複雑性を効果的に低減することができる。
【００４８】
実施形態３
図５に示されているように、図５は、本発明の実施形態３による適応再送方法のフローチャートである。適応再送方法は基地局によって実行され、また、とりわけ本発明の実施形態１で提供される基地局によって実行され得る。
【００４９】
適応再送方法は以下のステップを含む。
【００５０】
ステップＳ３０１．第１の周波数帯域上の無線資源を使用することによってデータパケットをユーザ機器に送信する。
【００５１】
ステップＳ３０２．ユーザ機器によって送信されるフィードバック情報を受信し、フィードバック情報は、データパケットが首尾よく送信されたかどうかを示すために使用される。
【００５２】
ステップＳ３０３．データパケットの送信が失敗したことをフィードバック情報が示している場合、第２の周波数帯域上の無線資源を使用することによってデータパケットをユーザ機器に送信する。
【００５３】
第１の周波数帯域および第２の周波数帯域は重複カバレージ領域を有し、ユーザ機器は重複カバレージ領域内に存在する。
【００５４】
さらに、ステップＳ３０１で、第１の周波数帯域上の無線資源を使用することによってデータパケットをユーザ機器に送信するステップは、とりわけ、
小型セルが第１の周波数帯域上の無線資源を使用することによってデータパケットをユーザ機器に送信するよう、データパケットを小型セルに送信するステップである。
【００５５】
さらに、ステップＳ３０１で、第１の周波数帯域上の無線資源を使用することによってデータパケットをユーザ機器に送信する前に、方法は、データパケットのために第１の周波数帯域上の無線周波数資源をスケジュールするステップ、およびスケジューリング情報を小型セルに送信するステップをさらに含み、スケジューリング情報は、小型セルが、第１の周波数帯域上のスケジュールされた無線資源を使用することによって、スケジューリング情報に従ってデータパケットをユーザ機器に送信するよう、データパケットのためにスケジュールされる第１の周波数帯域上の無線資源に関する情報を含む。
【００５６】
さらに、ステップＳ３０１で、第１の周波数帯域上の無線資源を使用することによってデータパケットをユーザ機器に送信した後、方法は、
小型セルによって送信されるデータパケット情報を受信するステップであって、データパケット情報はデータパケットの識別子を含むステップ
をさらに含む。
【００５７】
さらに、ステップＳ３０２で、ユーザ機器によって送信されるフィードバック情報を受信する前に、方法は、
バッファされたデータパケットをデータパケットの識別子に従って取得するステップ、およびデータパケットのために第２の周波数帯域上の無線資源をスケジュールするステップ
をさらに含む。
【００５８】
さらに、ステップＳ３０２で、ユーザ機器によって送信されるフィードバック情報を受信した後に、方法は、
バッファされたデータパケットをデータパケットの識別子に従って取得するステップ、およびデータパケットのために第２の周波数帯域上の無線資源をスケジュールするステップ
をさらに含む。
【００５９】
さらに、第１の周波数帯域は第２の周波数帯域より高い。
【００６０】
本発明の実施形態３で提供される適応再送方法によれば、基地局は、最初は第１の周波数帯域上の無線資源を使用することによってデータパケットをユーザ機器に送信し、データパケットの送信が失敗すると、基地局は、第２の周波数帯域上の無線資源を使用することによってデータパケットをユーザ機器に送信する。データパケットは、最初は第１の周波数帯域上の無線資源を使用することによって基地局によってユーザ機器に送信され、また、データパケットは、第２の周波数帯域上の無線資源を使用することによってユーザ機器に再送信される。つまり、データパケットの最初の送信およびデータパケットの再送信は、異なる周波数帯域上で実施される。したがって基地局がデータパケットのために第１の周波数帯域上の無線資源をスケジュールする際に、データパケットを再伝送するために必要な無線資源が考慮される必要はなく、それは、無線資源をスケジュールするためのアルゴリズムの複雑性を効果的に低減することができる。
【００６１】
実施形態４
図６に示されているように、図６は、本発明の実施形態４による通信システムのアーキテクチャの概略図である。通信システムは、基地局１０、小型セル２０およびユーザ機器３０を含む。基地局１０は、本発明の実施形態１で提供される基地局であってもよく、また、ユーザ機器３０は、本発明の実施形態２で提供されるユーザ機器であってもよい。
【００６２】
基地局１０は、比較的低い周波数の周波数帯域（例えば３．５ＧＨｚおよび５ＧＨｚ）を使用して比較的広い範囲をカバーする。基地局１０のカバレージ領域内には、ホットスポットカバレージを実施するために複数の小型セル２０が配備される。小型セル２０は、比較的高い周波数の周波数帯域（例えば２８ＧＨｚおよび３８ＧＨｚ）を使用して比較的狭い範囲をカバーする。基地局１０のカバレージ領域内に存在し、かつ、小型セル２０のカバレージ領域内に存在するユーザ機器３０は、１または複数の周波数帯域を使用することによって基地局１０および小型セル２０と同時に通信することができる。
【００６３】
例えばユーザ機器３０は、５ＧＨｚの周波数帯域を使用することによって基地局１０と通信することができ、また、それと同時に、２８ＧＨｚの周波数帯域を使用することによって小型セル２０とさらに通信することができ、もしくはユーザ機器３０は、２つの周波数帯域、つまり３．５ＧＨｚおよび５ＧＨｚを使用することによって基地局１０と通信することができ、また、それと同時に、２８ＧＨｚの周波数帯域を使用することによって小型セル２０とさらに通信することができ、またはユーザ機器３０は、５ＧＨｚの周波数帯域を使用することによって基地局１０と通信することができ、また、それと同時に、２８ＧＨｚおよび３８ＧＨｚの周波数帯域を使用することによって小型セル２０とさらに通信することができる。
【００６４】
基地局１０のカバレージ領域内に存在するユーザ機器３０によって受信または送信されるデータは、基地局１０を使用することによってコアネットワークと交換され、つまりユーザ機器３０のダウンリンクデータがコアネットワークから基地局１０に引き渡され、また、基地局１０は、比較的低い周波数の周波数帯域を使用することによってデータをユーザ機器３０に直接伝送する。あるいは最初に基地局１０が、比較的高い周波数の周波数帯域を使用することによって、または配線式ファイバを使用することによってデータを小型セル２０に伝送し、次に小型セル２０が、比較的高い周波数の周波数帯域を使用することによってデータをユーザ機器３０に伝送する。
【００６５】
実施形態５
図７に示されているように、図７は、本発明の実施形態５による適応再送方法の信号に関するフローチャートである。適応再送方法は、実施形態４の通信システムに適用され、また、ユーザ機器が基地局および小型セルの重複カバレージ領域内に存在する通信システムのシナリオに適用することができる。本発明の実施形態５は、基地局が５ＧＨｚの周波数帯域を使用することによってユーザ機器と通信し、また、小型セルが２８ＧＨｚの周波数帯域を使用することによってユーザ機器と通信する例を使用することによって説明される。
【００６６】
適応再送方法は以下のステップを含む。
【００６７】
ステップＳ５０１．基地局がデータパケットを小型セルに送信する。
【００６８】
基地局は、パケットデータ収束プロトコル（ＰＤＣＰ）層、無線リンク制御（Ｒａｄｉｏ  Ｌｉｎｋ  Ｃｏｎｔｒｏｌ、ＲＬＣ）層、媒体アクセス制御（Ｍｅｄｉｕｍ  Ａｃｃｅｓｓ  Ｃｏｎｔｒｏｌ、ＭＡＣ）層および物理（Ｐｈｙｓｉｃａｌ、ＰＨＹ）層を含む。最初に、基地局の層であるＰＤＣＰ層およびＲＬＣ層によってデータパケットが処理され、次に小型セルに送信される。
【００６９】
ステップＳ５０２．基地局がデータパケットをバッファする。
【００７０】
基地局のＲＬＣ層は、小型セルがユーザ機器へのデータパケットの送信に失敗すると、データパケットがユーザ機器に再送信されるよう、小型セルに送信されるデータパケットをバッファする。
【００７１】
ステップＳ５０３．小型セルがデータパケットのために２８ＧＨｚの周波数帯域上の無線資源をスケジュールする。
【００７２】
小型セルによって受信されるデータパケットは、基地局の層であるＰＤＣＰ層およびＲＬＣ層によって処理されたデータパケットであるため、小型セルは、ＰＤＣＰ層およびＲＬＣ層を有する必要はないが、小型セルの構築費を効果的に低減することができ、延いては通信システム全体の構築費を低減することができるＭＡＣ層およびＰＨＹ層だけは含んでいなければならない。
【００７３】
小型セルがデータパケットを受信した後、小型セルのＭＡＣ層は、データパケットのために２８ＧＨｚの周波数帯域上の無線資源をスケジュールする。
【００７４】
ステップＳ５０４．小型セルが２８ＧＨｚの周波数帯域上のスケジュールされた無線資源を使用することによってデータパケットをユーザ機器に送信する。
【００７５】
小型セルのＭＡＣ層がデータパケットのために２８ＧＨｚの周波数帯域上の無線資源をスケジュールした後、小型セルのＰＨＹ層は、データパケットのために小型セルのＭＡＣ層によってスケジュールされる、２８ＧＨｚの周波数帯域上の無線資源を使用することによってデータパケットをユーザ機器に送信する。
【００７６】
ステップＳ５０５．小型セルがデータパケット情報を基地局に送信する。
【００７７】
データパケット情報は、小型セルによってユーザ機器に送信されるデータパケットの識別子を含み、それにより小型セルによってユーザ機器に送信されたデータパケットを基地局に知らせる。
【００７８】
ステップＳ５０６．ユーザ機器が、データパケットが首尾よく送信されたかどうかを判定する。
【００７９】
ステップＳ５０７．ユーザ機器がフィードバック情報を基地局に送信する。
【００８０】
とりわけ、データパケットが首尾よく送信されたことをユーザ機器が判定すると、フィードバック情報は肯定応答（ＡＣＫ）情報であり、また、データパケットの送信が失敗したことをユーザ機器が判定すると、フィードバック情報は負の肯定応答（ＮＡＣＫ）情報である。
【００８１】
フィードバック情報がＡＣＫ情報である場合、ステップＳ５０８が実行される。
【００８２】
フィードバック情報がＮＡＣＫ情報である場合、ステップＳ５０９乃至ステップＳ５１１が実行される。
【００８３】
任意選択で、ステップＳ５０７は２つのステップに分割され得る。図８に示されているように、ステップＳ５０７は以下のステップを含む。
【００８４】
ステップＳ５０７ａ．ユーザ機器がフィードバック情報を小型セルに送信する。
【００８５】
ステップＳ５０７ｂ．小型セルがフィードバック情報を基地局に送信する。
【００８６】
ステップＳ５０８．基地局がバッファされたデータパケットを削除する。
【００８７】
基地局がユーザ機器によって送信されるＡＣＫ情報を受信すると、基地局のＭＡＣ層は、ユーザ機器によって送信されたフィードバック情報に従ってデータパケットの識別子を決定し、識別子に対応するデータパケットが首尾よく送信されたことを基地局のＲＬＣ層に報告し、次に基地局のＲＬＣ層は、識別子に対応するバッファされたデータパケットを削除する。
【００８８】
ステップＳ５０９．基地局がバッファされたデータパケットを取得する。
【００８９】
基地局がユーザ機器によって送信されるＮＡＣＫ情報を受信すると、基地局のＭＡＣ層は、ユーザ機器によって送信されたフィードバック情報に従ってデータパケットの識別子を決定し、識別子に対応するデータパケットの送信が失敗したことを基地局のＲＬＣ層に報告し、次に基地局のＲＬＣ層は、識別子に対応するバッファされたデータパケットを基地局のＭＡＣ層に送信する。
【００９０】
ステップＳ５１０．基地局がデータパケットのために５ＧＨｚの周波数帯域上の無線資源をスケジュールする。
【００９１】
基地局のＭＡＣ層がデータパケットを取得した後、基地局のＭＡＣ層は、データパケットのために５ＧＨｚの周波数帯域上の無線資源をスケジュールする。
【００９２】
基地局がフィードバック情報を受信し、フィードバック情報がＮＡＣＫ情報である場合、基地局は、バッファされたデータパケットの取得を開始し、かつ、データパケットのために５ＧＨｚの周波数帯域上の無線資源をスケジュールし、つまり基地局は、再伝送される必要があるデータパケットのためにのみ５ＧＨｚの周波数帯域上の無線資源をスケジュールし、それは、無線資源の利用を改善することができる。
【００９３】
ステップＳ５１１．基地局が、５ＧＨｚの周波数帯域上のスケジュールされた無線資源を使用することによってデータパケットをユーザ機器に送信する。
【００９４】
基地局のＭＡＣ層がデータパケットのために５ＧＨｚの周波数帯域上の無線資源をスケジュールした後、基地局のＰＨＹ層は、データパケットのために基地局のＭＡＣ層によってスケジュールされる５ＧＨｚの周波数帯域上の無線資源を使用することによってデータパケットをユーザ機器に送信する。
【００９５】
基地局によって再送信されたデータパケットを受信した後、ユーザ機器は、もう一度ステップＳ５０６乃至ステップＳ５１１を実行することができることが理解され得る。
【００９６】
本発明の実施形態５で提供される適応再送方法によれば、データパケットは、最初は、第１の周波数帯域（２８ＧＨｚ）上の無線資源を使用することによって、基地局によって小型セルを介してユーザ機器に送信され、また、データパケットは、第２の周波数帯域（５ＧＨｚ）上の無線資源を使用することによってユーザ機器に再送信される。つまり、データパケットの最初の送信およびデータパケットの再送信は、異なる周波数帯域上で実施される。したがって小型セルがデータパケットのために無線資源をスケジュールする際に、データパケットを再伝送するために必要な無線資源が考慮される必要はなく、それは、無線資源をスケジュールするためのアルゴリズムの複雑性を効果的に低減することができる。さらに、基地局に必要であるのは再伝送機能を有することのみであり、また、小型セルは、再伝送機能を有する必要はないため、通信システムの構築費が効果的に低減され得る。
【００９７】
実施形態６
図９に示されているように、図９は、本発明の実施形態６による適応再送方法の信号に関するフローチャートである。適応再送方法は、実施形態４の通信システムに適用され、また、ユーザ機器が基地局および小型セルの重複カバレージ領域内に存在する通信システムのシナリオに適用することができる。本発明の実施形態６は、基地局が５ＧＨｚの周波数帯域を使用することによってユーザ機器と通信し、また、小型セルが２８ＧＨｚの周波数帯域を使用することによってユーザ機器と通信する例を使用することによって説明される。
【００９８】
適応再送方法は以下のステップを含む。
【００９９】
ステップＳ６０１．基地局がデータパケットを小型セルに送信する。
【０１００】
基地局は、ＰＤＣＰ層、ＲＬＣ層、ＭＡＣ層およびＰＨＹ層を含む。最初に、基地局の層であるＰＤＣＰ層およびＲＬＣ層によってデータパケットが処理され、次に小型セルに送信される。
【０１０１】
ステップＳ６０２．基地局がデータパケットをバッファする。
【０１０２】
基地局のＲＬＣ層は、小型セルがユーザ機器へのデータパケットの送信に失敗すると、データパケットがユーザ機器に再送信されるよう、小型セルに送信されるデータパケットをバッファする。
【０１０３】
ステップＳ６０３．小型セルがデータパケットのために２８ＧＨｚの周波数帯域上の無線資源をスケジュールする。
【０１０４】
小型セルによって受信されるデータパケットは、基地局の層であるＰＤＣＰ層およびＲＬＣ層によって処理されたデータパケットであるため、小型セルは、ＰＤＣＰ層およびＲＬＣ層を有する必要はないが、小型セルの構築費を効果的に低減することができ、延いては通信システム全体の構築費を低減することができるＭＡＣ層およびＰＨＹ層だけは含んでいなければならない。
【０１０５】
小型セルがデータパケットを受信した後、小型セルのＭＡＣ層は、データパケットのために２８ＧＨｚの周波数帯域上の無線資源をスケジュールする。
【０１０６】
ステップＳ６０４．小型セルが２８ＧＨｚの周波数帯域上のスケジュールされた無線資源を使用することによってデータパケットをユーザ機器に送信する。
【０１０７】
小型セルのＭＡＣ層がデータパケットのために２８ＧＨｚの周波数帯域上の無線資源をスケジュールした後、小型セルのＰＨＹ層は、データパケットのために小型セルのＭＡＣ層によってスケジュールされる、２８ＧＨｚの周波数帯域上の無線資源を使用することによってデータパケットをユーザ機器に送信する。
【０１０８】
ステップＳ６０５．小型セルがデータパケット情報を基地局に送信する。
【０１０９】
データパケット情報は、小型セルによってユーザ機器に送信されるデータパケットの識別子を含み、それにより小型セルによってユーザ機器に送信されたデータパケットを基地局に知らせる。
【０１１０】
ステップＳ６０６．基地局がバッファされたデータパケットを取得する。
【０１１１】
基地局のＭＡＣ層は、ユーザ機器によって送信されたフィードバック情報に従ってデータパケットの識別子を決定し、かつ、識別子を基地局のＲＬＣ層に報告し、次に基地局のＲＬＣ層は、識別子に対応するバッファされたデータパケットを基地局のＭＡＣ層に送信する。
【０１１２】
ステップＳ６０７．基地局がデータパケットのために５ＧＨｚの周波数帯域上の無線資源をスケジュールする。
【０１１３】
基地局のＭＡＣ層がデータパケットを取得した後、基地局のＭＡＣ層は、データパケットのために５ＧＨｚの周波数帯域上の無線資源をスケジュールする。
【０１１４】
基地局は、フィードバック情報を受信する前に、バッファされたデータパケットを取得し、かつ、データパケットのために５ＧＨｚの周波数帯域上の無線資源をスケジュールし、受信したフィードバック情報がＮＡＣＫ情報である場合、基地局がデータパケットのために無線資源をスケジュールするのを待機する必要はなく、データパケットは、データパケットのためにスケジュールされている５ＧＨｚの周波数帯域上の無線資源を使用することによって直接送信され、それによりデータパケットを再伝送するための時間を短くする。
【０１１５】
ステップＳ６０８．ユーザ機器が、データパケットが首尾よく送信されたかどうかを判定する。
【０１１６】
ステップＳ６０９．ユーザ機器がフィードバック情報を基地局に送信する。
【０１１７】
とりわけ、データパケットが首尾よく送信されたことをユーザ機器が判定すると、フィードバック情報はＡＣＫ情報であり、また、データパケットの送信が失敗したことをユーザ機器が判定すると、フィードバック情報はＮＡＣＫ情報である。
【０１１８】
フィードバック情報がＡＣＫ情報である場合、ステップＳ６１０が実行される。
【０１１９】
フィードバック情報がＮＡＣＫ情報である場合、ステップＳ６１１が実行される。
【０１２０】
任意選択で、ステップＳ６０９は２つのステップに分割され得る。図１０に示されているように、ステップＳ６０９は以下のステップを含む。
【０１２１】
ステップＳ６０９ａ．ユーザ機器がフィードバック情報を小型セルに送信する。
【０１２２】
ステップＳ６０９ｂ．小型セルがフィードバック情報を基地局に送信する。
【０１２３】
ステップＳ６１０．基地局がバッファされたデータパケットを削除する。
【０１２４】
基地局がユーザ機器によって送信されるＡＣＫ情報を受信すると、基地局のＭＡＣ層は、ユーザ機器によって送信されたフィードバック情報に従ってデータパケットの識別子を決定し、識別子に対応するデータパケットが首尾よく送信されたことを基地局のＲＬＣ層に報告し、次に基地局のＲＬＣ層は、識別子に対応するバッファされたデータパケットを削除する。
【０１２５】
ステップＳ６１１．基地局が、５ＧＨｚの周波数帯域上のスケジュールされた無線資源を使用することによってデータパケットをユーザ機器に送信する。
【０１２６】
基地局がユーザ機器によって送信されるＮＡＣＫ情報を受信すると、基地局のＰＨＹ層は、データパケットのために基地局のＭＡＣ層によってスケジュールされる５ＧＨｚの周波数帯域上の無線資源を使用することによってデータパケットをユーザ機器に送信する。
【０１２７】
基地局によって再送信されたデータパケットを受信した後、ユーザ機器は、もう一度ステップＳ６０６乃至ステップＳ６１１を実行することができることが理解され得る。
【０１２８】
本発明の実施形態６で提供される適応再送方法によれば、データパケットは、最初は、第１の周波数帯域（２８ＧＨｚ）上の無線資源を使用することによって、基地局によって小型セルを介してユーザ機器に送信され、また、データパケットは、第２の周波数帯域（５ＧＨｚ）上の無線資源を使用することによってユーザ機器に再送信される。つまり、データパケットの最初の送信およびデータパケットの再送信は、異なる周波数帯域上で実施される。したがって小型セルがデータパケットのために無線資源をスケジュールする際に、データパケットを再伝送するために必要な無線資源が考慮される必要はなく、それは、無線資源をスケジュールするためのアルゴリズムの複雑性を効果的に低減することができる。さらに、基地局に必要であるのは再伝送機能を有することのみであり、また、小型セルは、再伝送機能を有する必要はないため、通信システムの構築費が効果的に低減され得る。
【０１２９】
実施形態７
図１１に示されているように、図１１は、本発明の実施形態７による適応再送方法の信号に関するフローチャートである。適応再送方法は、実施形態４の通信システムに適用され、また、ユーザ機器が基地局および小型セルの重複カバレージ領域内に存在する通信システムのシナリオに適用することができる。本発明の実施形態７は、基地局が５ＧＨｚの周波数帯域を使用することによってユーザ機器と通信し、また、小型セルが２８ＧＨｚの周波数帯域を使用することによってユーザ機器と通信する例を使用することによって説明される。
【０１３０】
適応再送方法は以下のステップを含む。
【０１３１】
ステップＳ７０１．基地局がデータパケットのために２８ＧＨｚの周波数帯域上の無線資源をスケジュールする。
【０１３２】
基地局は、ＰＤＣＰ層、ＲＬＣ層、ＭＡＣ層およびＰＨＹ層を含む。最初に、基地局の層であるＰＤＣＰ層およびＲＬＣ層によってデータパケットが処理され、次に基地局のＭＡＣ層がデータパケットのために２８ＧＨｚの周波数帯域上の無線資源をスケジュールする。
【０１３３】
ステップＳ７０２．基地局がスケジューリング情報を小型セルに送信する。
【０１３４】
スケジューリング情報は、データパケットのために基地局のＭＡＣ層によってスケジュールされる２８ＧＨｚの周波数帯域上の無線資源に関する情報を含み、例えばデータパケットのサイズ、変調および符号化スキーム、および論理チャネル番号に関する情報を含む。
【０１３５】
ステップＳ７０３．基地局がデータパケットを小型セルに送信する。
【０１３６】
データパケットは、基地局の層であるＰＤＣＰ層、ＲＬＣ層およびＭＡＣ層によって処理されている。
【０１３７】
ステップＳ７０４．基地局がデータパケットをバッファする。
【０１３８】
基地局のＲＬＣ層は、小型セルがユーザ機器へのデータパケットの送信に失敗すると、データパケットがユーザ機器に再送信されるよう、小型セルに送信されるデータパケットをバッファする。
【０１３９】
ステップＳ７０５．小型セルが、データパケットのために基地局によってスケジュールされる２８ＧＨｚの周波数帯域上の無線資源を使用することによってデータパケットをユーザ機器に送信する。
【０１４０】
小型セルによって受信されるデータパケットは、基地局の層であるＰＤＣＰ層、ＲＬＣ層およびＭＡＣ層によって処理されたデータパケットであるため、小型セルは、ＰＤＣＰ層、ＲＬＣ層およびＭＡＣ層を有する必要はないが、小型セルの構築費を効果的に低減することができ、延いては通信システム全体の構築費を低減することができるＰＨＹ層だけは含んでいなければならない。
【０１４１】
小型セルがデータパケットを受信した後、小型セルのＰＨＹ層は、スケジューリング情報に従って、データパケットのために基地局のＭＡＣ層によってスケジュールされる２８ＧＨｚの周波数帯域上の無線資源を決定し、次に、データパケットのために基地局のＭＡＣ層によってスケジュールされる２８ＧＨｚの周波数帯域上の無線資源を使用することによってデータパケットをユーザ機器に送信する。
【０１４２】
ステップＳ７０６．ユーザ機器が、データパケットが首尾よく送信されたかどうかを判定する。
【０１４３】
ステップＳ７０７．ユーザ機器がフィードバック情報を基地局に送信する。
【０１４４】
とりわけ、データパケットが首尾よく送信されたことをユーザ機器が判定すると、フィードバック情報はＡＣＫ情報であり、また、データパケットの送信が失敗したことをユーザ機器が判定すると、フィードバック情報はＮＡＣＫ情報である。
【０１４５】
フィードバック情報がＡＣＫ情報である場合、ステップＳ７０８が実行される。
【０１４６】
フィードバック情報がＮＡＣＫ情報である場合、ステップＳ７０９乃至ステップＳ７１１が実行される。
【０１４７】
任意選択で、ステップＳ７０７は２つのステップに分割され得る。図１２に示されているように、ステップＳ７０７は以下のステップを含む。
【０１４８】
ステップＳ７０７ａ．ユーザ機器がフィードバック情報を小型セルに送信する。
【０１４９】
ステップＳ７０７ｂ．小型セルがフィードバック情報を基地局に送信する。
【０１５０】
ステップＳ７０８．基地局がバッファされたデータパケットを削除する。
【０１５１】
基地局がユーザ機器によって送信されるＡＣＫ情報を受信すると、基地局のＭＡＣ層は、データパケットの識別子を決定し、かつ、識別子に対応するデータパケットが首尾よく送信されたことを基地局のＲＬＣ層に報告し、次に基地局のＲＬＣ層は、識別子に対応するバッファされたデータパケットを削除する。
【０１５２】
ステップＳ７０９．基地局がバッファされたデータパケットを取得する。
【０１５３】
基地局がユーザ機器によって送信されるＮＡＣＫ情報を受信すると、基地局のＭＡＣ層は、データパケットの識別子を決定し、かつ、識別子に対応するデータパケットの送信が失敗したことを基地局のＲＬＣ層に報告し、次に基地局のＲＬＣ層は、識別子に対応するバッファされたデータパケットを基地局のＭＡＣ層に送信する。
【０１５４】
ステップＳ７１０．基地局がデータパケットのために５ＧＨｚの周波数帯域上の無線資源をスケジュールする。
【０１５５】
基地局のＭＡＣ層がデータパケットを取得した後、基地局のＭＡＣ層は、データパケットのために５ＧＨｚの周波数帯域上の無線資源をスケジュールする。
【０１５６】
基地局は２つのＭＡＣ層を含むことができ、１つのＭＡＣ層は、データパケットのために２８ＧＨｚの周波数帯域上の無線資源をスケジュールし、また、他のＭＡＣ層は、データパケットのために５ＧＨｚの周波数帯域上の無線資源をスケジュールし、それによりデータパケットのために無線資源をスケジュールするための基地局の効率を改善することに留意されたい。
【０１５７】
基地局がフィードバック情報を受信し、フィードバック情報がＮＡＣＫ情報である場合、基地局は、バッファされたデータパケットの取得を開始し、かつ、データパケットのために５ＧＨｚの周波数帯域上の無線資源をスケジュールし、つまり基地局は、再伝送される必要があるデータパケットのためにのみ５ＧＨｚの周波数帯域上の無線資源をスケジュールし、それは、無線資源の利用を改善することができる。
【０１５８】
ステップＳ７１１．基地局が、５ＧＨｚの周波数帯域上のスケジュールされた無線資源を使用することによってデータパケットをユーザ機器に送信する。
【０１５９】
基地局のＭＡＣ層がデータパケットのために５ＧＨｚの周波数帯域上の無線資源をスケジュールした後、基地局のＰＨＹ層は、データパケットのために基地局のＭＡＣ層によってスケジュールされる５ＧＨｚの周波数帯域上の無線資源を使用することによってデータパケットをユーザ機器に送信する。
【０１６０】
基地局によって再送信されたデータパケットを受信した後、ユーザ機器は、もう一度ステップＳ７０６乃至ステップＳ７１１を実行することができることが理解され得る。
【０１６１】
本発明の実施形態７で提供される適応再送方法によれば、データパケットは、最初は、第１の周波数帯域（２８ＧＨｚ）上の無線資源を使用することによって、基地局によって小型セルを介してユーザ機器に送信され、また、データパケットは、第２の周波数帯域（５ＧＨｚ）上の無線資源を使用することによってユーザ機器に再送信される。つまり、データパケットの最初の送信およびデータパケットの再送信は、異なる周波数帯域上で実施される。したがって小型セルがデータパケットのために無線資源をスケジュールする際に、データパケットを再伝送するために必要な無線資源が考慮される必要はなく、それは、無線資源をスケジュールするためのアルゴリズムの複雑性を効果的に低減することができる。さらに、基地局に必要であるのは再伝送機能を有することのみであり、また、小型セルは、再伝送機能を有する必要はないため、通信システムの構築費が効果的に低減され得る。
【０１６２】
実施形態８
図１３に示されているように、図１３は、本発明の実施形態８による適応再送方法の信号に関するフローチャートである。適応再送方法は、実施形態４の通信システムに適用され、また、ユーザ機器が基地局および小型セルの重複カバレージ領域内に存在する通信システムのシナリオに適用することができる。本発明の実施形態８は、基地局が５ＧＨｚの周波数帯域を使用することによってユーザ機器と通信し、また、小型セルが２８ＧＨｚの周波数帯域を使用することによってユーザ機器と通信する例を使用することによって説明される。
【０１６３】
適応再送方法は以下のステップを含む。
【０１６４】
ステップＳ８０１．基地局がデータパケットのために２８ＧＨｚの周波数帯域上の無線資源をスケジュールする。
【０１６５】
基地局は、ＰＤＣＰ層、ＲＬＣ層、ＭＡＣ層およびＰＨＹ層を含む。最初に、基地局の層であるＰＤＣＰ層およびＲＬＣ層によってデータパケットが処理され、次に基地局のＭＡＣ層がデータパケットのために２８ＧＨｚの周波数帯域上の無線資源をスケジュールする。
【０１６６】
ステップＳ８０２．基地局がスケジューリング情報を小型セルに送信する。
【０１６７】
スケジューリング情報は、データパケットのために基地局のＭＡＣ層によってスケジュールされる２８ＧＨｚの周波数帯域上の無線資源に関する情報を含み、例えばデータパケットのサイズ、変調および符号化スキーム、および論理チャネル番号に関する情報を含む。
【０１６８】
ステップＳ８０３．基地局がデータパケットを小型セルに送信する。
【０１６９】
データパケットは、基地局の層であるＰＤＣＰ層、ＲＬＣ層およびＭＡＣ層によって処理されている。
【０１７０】
ステップＳ８０４．基地局がデータパケットをバッファする。
【０１７１】
基地局のＲＬＣ層は、小型セルがユーザ機器へのデータパケットの送信に失敗すると、データパケットがユーザ機器に再送信されるよう、小型セルに送信されるデータパケットをバッファする。
【０１７２】
ステップＳ８０５．小型セルが、データパケットのために基地局によってスケジュールされる２８ＧＨｚの周波数帯域上の無線資源を使用することによってデータパケットをユーザ機器に送信する。
【０１７３】
小型セルによって受信されるデータパケットは、基地局の層であるＰＤＣＰ層、ＲＬＣ層およびＭＡＣ層によって処理されたデータパケットであるため、小型セルは、ＰＤＣＰ層、ＲＬＣ層およびＭＡＣ層を有する必要はないが、小型セルの構築費を効果的に低減することができ、延いては通信システム全体の構築費を低減することができるＰＨＹ層だけは含んでいなければならない。
【０１７４】
小型セルがデータパケットを受信した後、小型セルのＰＨＹ層は、スケジューリング情報に従って、データパケットのために基地局のＭＡＣ層によってスケジュールされる２８ＧＨｚの周波数帯域上の無線資源を決定し、次に、データパケットのために基地局のＭＡＣ層によってスケジュールされる２８ＧＨｚの周波数帯域上の無線資源を使用することによってデータパケットをユーザ機器に送信する。
【０１７５】
ステップＳ８０６．基地局がバッファされたデータパケットを取得する。
【０１７６】
基地局のＭＡＣ層は、データパケットの識別子を決定し、かつ、識別子を基地局のＲＬＣ層に報告し、次に基地局のＲＬＣ層は、識別子に対応するバッファされたデータパケットを基地局のＭＡＣ層に送信する。
【０１７７】
ステップＳ８０７．基地局がデータパケットのために５ＧＨｚの周波数帯域上の無線資源をスケジュールする。
【０１７８】
基地局のＭＡＣ層がデータパケットを取得した後、基地局のＭＡＣ層は、データパケットのために５ＧＨｚの周波数帯域上の無線資源をスケジュールする。
【０１７９】
基地局は２つのＭＡＣ層を含むことができ、１つのＭＡＣ層は、データパケットのために２８ＧＨｚの周波数帯域上の無線資源をスケジュールし、また、他のＭＡＣ層は、データパケットのために５ＧＨｚの周波数帯域上の無線資源をスケジュールし、それによりデータパケットのために無線資源をスケジュールするための基地局の効率を改善することに留意されたい。
【０１８０】
基地局は、フィードバック情報を受信する前に、バッファされたデータパケットを取得し、かつ、データパケットのために５ＧＨｚの周波数帯域上の無線資源をスケジュールし、受信したフィードバック情報がＮＡＣＫ情報である場合、基地局がデータパケットのために無線資源をスケジュールするのを待機する必要はなく、データパケットは、データパケットのためにスケジュールされている５ＧＨｚの周波数帯域上の無線資源を使用することによって直接送信され、それによりデータパケットを再伝送するための時間を短くする。
【０１８１】
ステップＳ８０８．ユーザ機器が、データパケットが首尾よく送信されたかどうかを判定する。
【０１８２】
ステップＳ８０９．ユーザ機器がフィードバック情報を基地局に送信する。
【０１８３】
とりわけ、データパケットが首尾よく送信されたことをユーザ機器が判定すると、フィードバック情報はＡＣＫ情報であり、また、データパケットの送信が失敗したことをユーザ機器が判定すると、フィードバック情報はＮＡＣＫ情報である。
【０１８４】
フィードバック情報がＡＣＫ情報である場合、ステップＳ８１０が実行される。
【０１８５】
フィードバック情報がＮＡＣＫ情報である場合、ステップＳ８１１が実行される。
【０１８６】
任意選択で、ステップＳ８０９は２つのステップに分割され得る。図１４に示されているように、ステップＳ８０９は以下のステップを含む。
【０１８７】
ステップＳ８０９ａ．ユーザ機器がフィードバック情報を小型セルに送信する。
【０１８８】
ステップＳ８０９ｂ．小型セルがフィードバック情報を基地局に送信する。
【０１８９】
ステップＳ８１０．基地局がバッファされたデータパケットを削除する。
【０１９０】
基地局がユーザ機器によって送信されるＡＣＫ情報を受信すると、基地局のＭＡＣ層は、データパケットの識別子を決定し、かつ、識別子に対応するデータパケットが首尾よく送信されたことを基地局のＲＬＣ層に報告し、次に基地局のＲＬＣ層は、識別子に対応するバッファされたデータパケットを削除する。
【０１９１】
ステップＳ８１１．基地局が、５ＧＨｚの周波数帯域上のスケジュールされた無線資源を使用することによってデータパケットをユーザ機器に送信する。
【０１９２】
基地局がユーザ機器によって送信されるＮＡＣＫ情報を受信すると、基地局のＰＨＹ層は、データパケットのために基地局のＭＡＣ層によってスケジュールされる５ＧＨｚの周波数帯域上の無線資源を使用することによってデータパケットをユーザ機器に送信する。
【０１９３】
基地局によって再送信されたデータパケットを受信した後、ユーザ機器は、もう一度ステップＳ８０６乃至ステップＳ８１１を実行することができることが理解され得る。
【０１９４】
本発明の実施形態８で提供される適応再送方法によれば、データパケットは、最初は、第１の周波数帯域（２８ＧＨｚ）上の無線資源を使用することによって、基地局によって小型セルを介してユーザ機器に送信され、また、データパケットは、第２の周波数帯域（５ＧＨｚ）上の無線資源を使用することによってユーザ機器に再送信される。つまり、データパケットの最初の送信およびデータパケットの再送信は、異なる周波数帯域上で実施される。したがって小型セルがデータパケットのために無線資源をスケジュールする際に、データパケットを再伝送するために必要な無線資源が考慮される必要はなく、それは、無線資源をスケジュールするためのアルゴリズムの複雑性を効果的に低減することができる。さらに、基地局に必要であるのは再伝送機能を有することのみであり、また、小型セルは、再伝送機能を有する必要はないため、通信システムの構築費が効果的に低減され得る。
【０１９５】
実施形態９
図１５に示されているように、図１５は、本発明の実施形態９による通信システムのアーキテクチャの概略図である。通信システムは、基地局４０およびユーザ機器５０を含む。基地局４０は、実施形態１で提供される基地局であってもよく、また、ユーザ機器５０は、実施形態２で提供されるユーザ機器であってもよい。
【０１９６】
基地局４０は、少なくとも２つの周波数帯域を使用してユーザ機器５０と通信する。比較的高い周波数の周波数帯域は比較的狭いカバレージ領域を有し、また、比較的低い周波数の周波数帯域は比較的広いカバレージ領域を有する。図１６に示されているように、基地局４０は２つの周波数帯域を使用してユーザ機器５０と通信し、比較的高い周波数の周波数帯域のカバレージ領域内に存在するユーザ機器５０は、同時に２つの周波数帯域を使用して基地局４０と通信することができる。しかしながら比較的高い周波数の周波数帯域のカバレージ領域外に存在し、かつ、比較的低い周波数の周波数帯域のカバレージ領域内に存在するユーザ機器５０は、比較的低い周波数の周波数帯域のみを使用して基地局４０と通信することができる。
【０１９７】
基地局４０のカバレージ領域内に存在するユーザ機器によって受信または送信されるデータパケットは、基地局４０を使用することによってコアネットワークと交換され、つまりユーザ機器５０のダウンリンクデータがコアネットワークから基地局４０に引き渡され、また、基地局４０は、１または複数の周波数帯域を使用してダウンリンクデータを直接ユーザ機器５０に送信することができる。
【０１９８】
実施形態１０
図１６に示されているように、図１６は、本発明の実施形態１０による適応再送方法の信号に関するフローチャートである。適応再送方法は、実施形態９の通信システムに適用され、また、ユーザ機器が基地局の最も低い周波数帯域のカバレージ領域内に存在する通信システムのシナリオに適用することができる。本発明の実施形態１０は、基地局が５ＧＨｚの周波数帯域および２８ＧＨｚの周波数帯域を使用することによってユーザ機器と通信する例を使用することによって説明される。
【０１９９】
適応再送方法は以下のステップを含む。
【０２００】
ステップＳ１００１．基地局がデータパケットのために２８ＧＨｚの周波数帯域上の無線資源をスケジュールする。
【０２０１】
基地局は、ＰＤＣＰ層、ＲＬＣ層、ＭＡＣ層およびＰＨＹ層を含む。最初に、基地局の層であるＰＤＣＰ層およびＲＬＣ層によってデータパケットが処理され、次に基地局のＭＡＣ層がデータパケットのために２８ＧＨｚの周波数帯域上の無線資源をスケジュールする。
【０２０２】
ステップＳ１００２．基地局が、２８ＧＨｚの周波数帯域上のスケジュールされた無線資源を使用することによってデータパケットをユーザ機器に送信する。
【０２０３】
基地局のＰＨＹ層は、データパケットのために基地局のＭＡＣ層によってスケジュールされる２８ＧＨｚの周波数帯域上の無線資源を使用することによってデータパケットをユーザ機器に送信する。
【０２０４】
ステップＳ１００３．基地局がデータパケットをバッファする。
【０２０５】
基地局のＲＬＣ層は、基地局がユーザ機器へのデータパケットの送信に失敗すると、データパケットがユーザ機器に再送信されるよう、ユーザ機器に送信されるデータパケットをバッファする。
【０２０６】
ステップＳ１００４．ユーザ機器が、データパケットが首尾よく送信されたかどうかを判定する。
【０２０７】
ステップＳ１００５．ユーザ機器がフィードバック情報を基地局に送信する。
【０２０８】
とりわけ、データパケットが首尾よく送信されたことをユーザ機器が判定すると、フィードバック情報はＡＣＫ情報であり、また、データパケットの送信が失敗したことをユーザ機器が判定すると、フィードバック情報はＮＡＣＫ情報である。
【０２０９】
フィードバック情報がＡＣＫ情報である場合、ステップＳ１００６が実行される。
【０２１０】
フィードバック情報がＮＡＣＫ情報である場合、ステップＳ１００７乃至ステップＳ１００９が実行される。
【０２１１】
ステップＳ１００６．基地局がバッファされたデータパケットを削除する。
【０２１２】
基地局がユーザ機器によって送信されるＡＣＫ情報を受信すると、基地局のＭＡＣ層は、データパケットの識別子を決定し、かつ、識別子に対応するデータパケットが首尾よく送信されたことを基地局のＲＬＣ層に報告し、次に基地局のＲＬＣ層は、識別子に対応するバッファされたデータパケットを削除する。
【０２１３】
ステップＳ１００７．基地局がバッファされたデータパケットを取得する。
【０２１４】
基地局がユーザ機器によって送信されるＮＡＣＫ情報を受信すると、基地局のＭＡＣ層は、データパケットの識別子を決定し、かつ、識別子に対応するデータパケットの送信が失敗したことを基地局のＲＬＣ層に報告し、次に基地局のＲＬＣ層は、識別子に対応するバッファされたデータパケットを基地局のＭＡＣ層に送信する。
【０２１５】
ステップＳ１００８．基地局がデータパケットのために５ＧＨｚの周波数帯域上の無線資源をスケジュールする。
【０２１６】
基地局のＭＡＣ層がデータパケットを取得した後、基地局のＭＡＣ層は、データパケットのために５ＧＨｚの周波数帯域上の無線資源をスケジュールする。
【０２１７】
基地局は２つのＭＡＣ層を含むことができ、１つのＭＡＣ層は、データパケットのために２８ＧＨｚの周波数帯域上の無線資源をスケジュールし、また、他のＭＡＣ層は、データパケットのために５ＧＨｚの周波数帯域上の無線資源をスケジュールし、それによりデータパケットのために無線資源をスケジュールするための基地局の効率を改善することに留意されたい。
【０２１８】
基地局がフィードバック情報を受信し、フィードバック情報がＮＡＣＫ情報である場合、基地局は、バッファされたデータパケットの取得を開始し、かつ、データパケットのために５ＧＨｚの周波数帯域上の無線資源をスケジュールし、つまり基地局は、再伝送される必要があるデータパケットのためにのみ５ＧＨｚの周波数帯域上の無線資源をスケジュールし、それは、無線資源の利用を改善することができる。
【０２１９】
ステップＳ１００９．基地局が、５ＧＨｚの周波数帯域上のスケジュールされた無線資源を使用することによってデータパケットをユーザ機器に送信する。
【０２２０】
基地局のＭＡＣ層がデータパケットのために５ＧＨｚの周波数帯域上の無線資源をスケジュールした後、基地局のＰＨＹ層は、データパケットのために基地局のＭＡＣ層によってスケジュールされる５ＧＨｚの周波数帯域上の無線資源を使用することによってデータパケットをユーザ機器に送信する。
【０２２１】
基地局によって再送信されたデータパケットを受信した後、ユーザ機器は、もう一度ステップＳ１００４乃至ステップＳ１００９を実行することができることが理解され得る。
【０２２２】
本発明の実施形態１０で提供される適応再送方法によれば、基地局は、最初は第１の周波数帯域上の無線資源を使用することによってデータパケットをユーザ機器に送信し、データパケットの送信が失敗すると、基地局は、第２の周波数帯域上の無線資源を使用することによってデータパケットをユーザ機器に送信する。データパケットは、最初は第１の周波数帯域上の無線資源を使用することによって基地局によってユーザ機器に送信され、また、データパケットは、第２の周波数帯域上の無線資源を使用することによってユーザ機器に再送信される。つまり、データパケットの最初の送信およびデータパケットの再送信は、異なる周波数帯域上で実施される。したがって基地局がデータパケットのために第１の周波数帯域上の無線資源をスケジュールする際に、データパケットを再伝送するために必要な無線資源が考慮される必要はなく、それは、無線資源をスケジュールするためのアルゴリズムの複雑性を効果的に低減することができる。
【０２２３】
実施形態１１
図１７に示されているように、図１７は、本発明の実施形態１１による適応再送方法の信号に関するフローチャートである。適応再送方法は、実施形態９の通信システムに適用され、また、ユーザ機器が基地局の最も低い周波数帯域のカバレージ領域内に存在する通信システムのシナリオに適用することができる。本発明の実施形態１１は、基地局が５ＧＨｚの周波数帯域および２８ＧＨｚの周波数帯域を使用することによってユーザ機器と通信する例を使用することによって説明される。
【０２２４】
適応再送方法は以下のステップを含む。
【０２２５】
ステップＳ１１０１．基地局がデータパケットのために２８ＧＨｚの周波数帯域上の無線資源をスケジュールする。
【０２２６】
基地局は、ＰＤＣＰ層、ＲＬＣ層、ＭＡＣ層およびＰＨＹ層を含む。最初に、基地局の層であるＰＤＣＰ層およびＲＬＣ層によってデータパケットが処理され、次に基地局のＭＡＣ層がデータパケットのために２８ＧＨｚの周波数帯域上の無線資源をスケジュールする。
【０２２７】
ステップＳ１１０２．基地局が、２８ＧＨｚの周波数帯域上のスケジュールされた無線資源を使用することによってデータパケットをユーザ機器に送信する。
【０２２８】
基地局のＰＨＹ層は、データパケットのために基地局のＭＡＣ層によってスケジュールされる２８ＧＨｚの周波数帯域上の無線資源を使用することによってデータパケットをユーザ機器に送信する。
【０２２９】
ステップＳ１１０３．基地局がデータパケットをバッファする。
【０２３０】
基地局のＲＬＣ層は、基地局がユーザ機器へのデータパケットの送信に失敗すると、データパケットがユーザ機器に再送信されるよう、ユーザ機器に送信されるデータパケットをバッファする。
【０２３１】
ステップＳ１１０４．基地局がバッファされたデータパケットを取得する。
【０２３２】
基地局のＭＡＣ層は、データパケットの識別子を決定し、かつ、識別子に対応するデータパケットの送信が失敗したことを基地局のＲＬＣ層に報告し、次に基地局のＲＬＣ層は、識別子に対応するバッファされたデータパケットを基地局のＭＡＣ層に送信する。
【０２３３】
ステップＳ１１０５．基地局がデータパケットのために５ＧＨｚの周波数帯域上の無線資源をスケジュールする。
【０２３４】
基地局のＭＡＣ層がデータパケットを取得した後、基地局のＭＡＣ層は、データパケットのために５ＧＨｚの周波数帯域上の無線資源をスケジュールする。
【０２３５】
基地局は２つのＭＡＣ層を含むことができ、１つのＭＡＣ層は、データパケットのために２８ＧＨｚの周波数帯域上の無線資源をスケジュールし、また、他のＭＡＣ層は、データパケットのために５ＧＨｚの周波数帯域上の無線資源をスケジュールし、それによりデータパケットのために無線資源をスケジュールするための基地局の効率を改善することに留意されたい。
【０２３６】
基地局は、フィードバック情報を受信する前に、バッファされたデータパケットを取得し、かつ、データパケットのために５ＧＨｚの周波数帯域上の無線資源をスケジュールし、受信したフィードバック情報がＮＡＣＫ情報である場合、基地局がデータパケットのために無線資源をスケジュールするのを待機する必要はなく、データパケットは、データパケットのためにスケジュールされている５ＧＨｚの周波数帯域上の無線資源を使用することによって直接送信され、それによりデータパケットを再伝送するための時間を短くする。
【０２３７】
ステップＳ１１０６．ユーザ機器が、データパケットが首尾よく送信されたかどうかを判定する。
【０２３８】
ステップＳ１１０７．ユーザ機器がフィードバック情報を基地局に送信する。
【０２３９】
とりわけ、データパケットが首尾よく送信されたことをユーザ機器が判定すると、フィードバック情報はＡＣＫ情報であり、また、データパケットの送信が失敗したことをユーザ機器が判定すると、フィードバック情報はＮＡＣＫ情報である。
【０２４０】
フィードバック情報がＡＣＫ情報である場合、ステップＳ１１０８が実行される。
【０２４１】
フィードバック情報がＮＡＣＫ情報である場合、ステップＳ１１０９が実行される。
【０２４２】
ステップＳ１１０８．基地局がバッファされたデータパケットを削除する。
【０２４３】
基地局がユーザ機器によって送信されるＡＣＫ情報を受信すると、基地局のＭＡＣ層は、データパケットの識別子を決定し、かつ、識別子に対応するデータパケットが首尾よく送信されたことを基地局のＲＬＣ層に報告し、次に基地局のＲＬＣ層は、識別子に対応するバッファされたデータパケットを削除する。
【０２４４】
ステップＳ１１０９．基地局が、５ＧＨｚの周波数帯域上のスケジュールされた無線資源を使用することによってデータパケットをユーザ機器に送信する。
【０２４５】
基地局がユーザ機器によって送信されるＮＡＣＫ情報を受信すると、基地局のＰＨＹ層は、データパケットのために基地局のＭＡＣ層によってスケジュールされる５ＧＨｚの周波数帯域上の無線資源を使用することによってデータパケットをユーザ機器に送信する。
【０２４６】
基地局によって再送信されたデータパケットを受信した後、ユーザ機器は、もう一度ステップＳ１１０４乃至ステップＳ１１０９を実行することができることが理解され得る。
【０２４７】
本発明の実施形態１１で提供される適応再送方法によれば、基地局は、最初は第１の周波数帯域上の無線資源を使用することによってデータパケットをユーザ機器に送信し、データパケットの送信が失敗すると、基地局は、第２の周波数帯域上の無線資源を使用することによってデータパケットをユーザ機器に送信する。データパケットは、最初は第１の周波数帯域上の無線資源を使用することによって基地局によってユーザ機器に送信され、また、データパケットは、第２の周波数帯域上の無線資源を使用することによってユーザ機器に再送信される。つまり、データパケットの最初の送信およびデータパケットの再送信は、異なる周波数帯域上で実施される。したがって基地局がデータパケットのために第１の周波数帯域上の無線資源をスケジュールする際に、データパケットを再伝送するために必要な無線資源が考慮される必要はなく、それは、無線資源をスケジュールするためのアルゴリズムの複雑性を効果的に低減することができる。
【０２４８】
当業者は、本明細書において開示された実施形態で説明された例と組み合わせて、ユニットおよびアルゴリズムステップは、電子ハードウェア、コンピュータソフトウェアまたはそれらの組合せによって実現され得ることにさらに気がつくことができる。ハードウェアとソフトウェアの間の互換性を明確に説明するために、上では、一般に、機能に従って個々の例の構成およびステップを説明した。機能がハードウェアまたはソフトウェアによって実施されるかどうかは、技術的解決法の特定のアプリケーションおよび設計制約条件で決まる。当業者は、異なる方法を使用して、説明された機能を個々の特定のアプリケーションに対して実現することができるが、実施態様は本発明の範囲外であると見なされるべきではない。
【０２４９】
本明細書において開示された実施形態で説明された方法またはアルゴリズムのステップは、ハードウェア、プロセッサによって実行されるソフトウェアモジュールまたはそれらの組合せによって実現され得る。ソフトウェアモジュールは、ランダムアクセスメモリ（ＲＡＭ）、メモリ、リードオンリメモリ（ＲＯＭ）、電気的プログラマブルＲＯＭ、電気的消去可能プログラマブルＲＯＭ、レジスタ、ハードディスク、取外し可能ディスク、ＣＤ−ＲＯＭ、または当分野で知られている任意の他の形態の記憶媒体に常駐させることができる。
【０２５０】
上記特定の実施態様方式では、本発明の目的、技術的解決法および利点がさらに詳細に説明されている。上記説明は、単に本発明の特定の実施態様方式にすぎず、本発明の保護範囲を制限することは意図されていないことを理解されたい。本発明の原理から逸脱することなくなされる任意の修正、等価置換または改善は、本発明の保護範囲の範疇であるものとする。
【手続補正２】
【補正対象書類名】特許請求の範囲
【補正対象項目名】全文
【補正方法】変更
【補正の内容】
【特許請求の範囲】
【請求項１】
基地局であって、
第１の周波数帯域上の無線資源を使用することによってデータパケットをユーザ機器に送信するように構成された送信ユニットと、
前記ユーザ機器によって送信されるフィードバック情報を受信するように構成された受信ユニットであって、前記データパケットが首尾よく送信されたかどうかを示すために前記フィードバック情報が使用される受信ユニットと
を備え、
前記送信ユニットは、前記データパケットの送信が失敗したことを前記フィードバック情報が示している場合、第２の周波数帯域上の無線資源を使用することによって前記データパケットを前記ユーザ機器に送信するようにさらに構成され、
前記第１の周波数帯域および前記第２の周波数帯域は重複カバレージ領域を有し、前記ユーザ機器は前記重複カバレージ領域内に存在する
ことを特徴とする基地局。
【請求項２】
前記送信ユニットは、特に、
小型セルが前記第１の周波数帯域上の前記無線資源を使用することによって前記データパケットを前記ユーザ機器に送信するよう、前記データパケットを前記小型セルに送信する
ように構成されることを特徴とする請求項１に記載の基地局。
【請求項３】
前記基地局は、
前記送信ユニットが前記第１の周波数帯域上の前記無線資源を使用することによってデータパケットを前記ユーザ機器に送信する前に、前記データパケットのために前記第１の周波数帯域上の前記無線資源をスケジュールするように構成された第１のスケジューリングユニット
をさらに備え、
前記送信ユニットは、スケジューリング情報を前記小型セルに送信するようにさらに構成され、前記スケジューリング情報は、前記小型セルが、前記第１の周波数帯域上の前記スケジュールされた無線資源を使用することによって、スケジューリング情報に従って前記データパケットを前記ユーザ機器に送信するよう、前記データパケットのためにスケジュールされる前記第１の周波数帯域上の前記無線資源に関する情報を含む
ことを特徴とする請求項１または２に記載の基地局。
【請求項４】
前記受信ユニットは、前記送信ユニットが前記データパケットを前記ユーザ機器に送信した後、前記小型セルを介して前記ユーザ機器によって送信されるデータパケット情報を受信するようにさらに構成され、前記データパケット情報は前記データパケットの識別子を含むことを特徴とする請求項２または３に記載の基地局。
【請求項５】
前記基地局は、
前記受信ユニットが前記ユーザ機器によって送信される前記フィードバック情報を受信する前に、バッファされたデータパケットを前記データパケットの前記識別子に従って取得するように構成された取得ユニットと、
前記データパケットのために前記第２の周波数帯域上の前記無線資源をスケジュールするように構成された第２のスケジューリングユニットと
をさらに備えることを特徴とする請求項４に記載の基地局。
【請求項６】
前記第１の周波数帯域は前記第２の周波数帯域より高いことを特徴とする請求項１乃至５のいずれか一項に記載の基地局。
【請求項７】
ユーザ機器であって、
基地局によって第１の周波数帯域上の無線資源を使用することによって送信されるデータパケットを受信するように構成された受信ユニットと、
前記データパケットが首尾よく送信されたかどうかを判定するように構成された判定ユニットと、
フィードバック情報を前記基地局に送信するように構成された送信ユニットであって、前記データパケットが首尾よく送信されたかどうかを示すために前記フィードバック情報が使用される送信ユニットと
を備え、
前記受信ユニットは、前記データパケットの送信が失敗したことを前記フィードバック情報が示している場合、前記基地局によって第２の周波数帯域上の無線資源を使用することによって送信される前記データパケットを受信するようにさらに構成され、
前記第１の周波数帯域および前記第２の周波数帯域は重複カバレージ領域を有し、前記ユーザ機器は前記重複カバレージ領域内に存在することを特徴とするユーザ機器。
【請求項８】
前記送信ユニットは、特に、
小型セルを使用することによって前記フィードバック情報を前記基地局に送信するように構成されることを特徴とする請求項７に記載のユーザ機器。
【請求項９】
前記第１の周波数帯域は前記第２の周波数帯域より高いことを特徴とする請求項７または８に記載のユーザ機器。
【請求項１０】
適応再送方法であって、
第１の周波数帯域上の無線資源を使用することによってデータパケットをユーザ機器に送信するステップと、
前記ユーザ機器によって送信されるフィードバック情報を受信するステップであって、前記データパケットが首尾よく送信されたかどうかを示すために前記フィードバック情報が使用されるステップと、
前記データパケットの送信が失敗したことを前記フィードバック情報が示している場合、第２の周波数帯域上の無線資源を使用することによって前記データパケットを前記ユーザ機器に送信するステップと
を含み、
前記第１の周波数帯域および前記第２の周波数帯域は重複カバレージ領域を有し、前記ユーザ機器は前記重複カバレージ領域内に存在する
ことを特徴とする方法。
【請求項１１】
第１の周波数帯域上の無線資源を使用することによってデータパケットをユーザ機器に送信する前記ステップは、特に、
小型セルが前記第１の周波数帯域上の前記無線資源を使用することによって前記データパケットを前記ユーザ機器に送信するよう、前記データパケットを前記小型セルに送信するステップである
ことを特徴とする請求項１０に記載の方法。
【請求項１２】
第１の周波数帯域上の無線資源を使用することによってデータパケットをユーザ機器に送信する前記ステップの前に、前記方法は、
前記データパケットのために前記第１の周波数帯域上の前記無線資源をスケジュールするステップと、
スケジューリング情報を前記小型セルに送信するステップであって、前記スケジューリング情報は、前記小型セルが、前記第１の周波数帯域上の前記スケジュールされた無線資源を使用することによって、スケジューリング情報に従って前記データパケットを前記ユーザ機器に送信するよう、前記データパケットのためにスケジュールされる前記第１の周波数帯域上の前記無線資源に関する情報を含むステップと
をさらに含むことを特徴とする請求項１０または１１に記載の方法。
【請求項１３】
第１の周波数帯域上の無線資源を使用することによってデータパケットをユーザ機器に送信する前記ステップの後、前記方法は、
前記小型セルを介して前記ユーザ機器によって送信されるデータパケット情報を受信するステップであって、前記データパケット情報は前記データパケットの識別子を含むステップ
をさらに含むことを特徴とする請求項１１または１２に記載の方法。
【請求項１４】
前記ユーザ機器によって送信されるフィードバック情報を受信する前記ステップの前に、前記方法は、
バッファされたデータパケットを前記データパケットの前記識別子に従って取得するステップと、
前記データパケットのために前記第２の周波数帯域上の前記無線資源をスケジュールするステップと
をさらに含むことを特徴とする請求項１３に記載の方法。
【請求項１５】
第１の周波数帯域上の無線資源を使用することによって、基地局により送信されるデータパケットを受信するステップと、
前記データパケットが首尾よく送信されたかどうかを判定するステップと、
前記データパケットが首尾よく送信された場合に、フィードバック情報を前記基地局に送信するステップであって、前記フィードバック情報は、前記データパケットが首尾よく送信されたことを示すのに用いられる、ステップと、
前記データパケットが失敗して送信された場合に、第２の周波数帯域上の無線資源を使用することによって、前記基地局により送信されるデータパケットを受信するステップと
を備え、
前記第１の周波数帯域および前記第２の周波数帯域は重複カバレージ領域を有し、前記ユーザ機器は前記重複カバレージ領域内に存在する
ことを特徴とする方法。
【請求項１６】
前記フィードバック情報を前記基地局に送信するステップは、小型セルを使用することによってなされることを特徴とする請求項１５に記載の方法。
【請求項１７】
前記第１の周波数帯域は前記第２の周波数帯域より高いことを特徴とする請求項１５または１６に記載の方法。
【手続補正書】
【提出日】平成28年9月30日(2016.9.30)
【手続補正１】
【補正対象書類名】特許請求の範囲
【補正対象項目名】全文
【補正方法】変更
【補正の内容】
【特許請求の範囲】
【請求項１】
基地局であって、
第１の周波数帯域上の無線資源を使用することによってデータパケットをユーザ機器に送信するように構成された送信ユニットと、
前記ユーザ機器によって送信されるフィードバック情報を受信するように構成された受信ユニットであって、前記データパケットが首尾よく送信されたかどうかを示すために前記フィードバック情報が使用される受信ユニットと
を備え、
前記送信ユニットは、前記データパケットの送信が失敗したことを前記フィードバック情報が示している場合、第２の周波数帯域上の無線資源を使用することによって前記データパケットを前記ユーザ機器に送信するようにさらに構成され、
前記第１の周波数帯域および前記第２の周波数帯域は重複カバレージ領域を有し、前記ユーザ機器は前記重複カバレージ領域内に存在する
ことを特徴とする基地局。
【請求項２】
前記送信ユニットは、特に、
小型セルが前記第１の周波数帯域上の前記無線資源を使用することによって前記データパケットを前記ユーザ機器に送信するよう、前記データパケットを前記小型セルに送信する
ように構成されることを特徴とする請求項１に記載の基地局。
【請求項３】
前記基地局は、
前記送信ユニットが前記第１の周波数帯域上の前記無線資源を使用することによってデータパケットを前記ユーザ機器に送信する前に、前記データパケットのために前記第１の周波数帯域上の前記無線資源をスケジュールするように構成された第１のスケジューリングユニット
をさらに備え、
前記送信ユニットは、スケジューリング情報を前記小型セルに送信するようにさらに構成され、前記スケジューリング情報は、前記小型セルが、前記第１の周波数帯域上の前記スケジュールされた無線資源を使用することによって、スケジューリング情報に従って前記データパケットを前記ユーザ機器に送信するよう、前記データパケットのためにスケジュールされる前記第１の周波数帯域上の前記無線資源に関する情報を含む
ことを特徴とする請求項２に記載の基地局。
【請求項４】
前記受信ユニットは、前記送信ユニットが前記データパケットを前記ユーザ機器に送信した後、前記小型セルを介して前記ユーザ機器によって送信されるデータパケット情報を受信するようにさらに構成され、前記データパケット情報は前記データパケットの識別子を含むことを特徴とする請求項２または３に記載の基地局。
【請求項５】
前記基地局は、
前記受信ユニットが前記ユーザ機器によって送信される前記フィードバック情報を受信する前に、バッファされたデータパケットを前記データパケットの前記識別子に従って取得するように構成された取得ユニットと、
前記データパケットのために前記第２の周波数帯域上の前記無線資源をスケジュールするように構成された第２のスケジューリングユニットと
をさらに備えることを特徴とする請求項４に記載の基地局。
【請求項６】
前記第１の周波数帯域は前記第２の周波数帯域より高いことを特徴とする請求項１乃至５のいずれか一項に記載の基地局。
【請求項７】
ユーザ機器であって、
基地局によって第１の周波数帯域上の無線資源を使用することによって送信されるデータパケットを受信するように構成された受信ユニットと、
前記データパケットが首尾よく送信されたかどうかを判定するように構成された判定ユニットと、
フィードバック情報を前記基地局に送信するように構成された送信ユニットであって、前記データパケットが首尾よく送信されたかどうかを示すために前記フィードバック情報が使用される送信ユニットと
を備え、
前記受信ユニットは、前記データパケットの送信が失敗したことを前記フィードバック情報が示している場合、前記基地局によって第２の周波数帯域上の無線資源を使用することによって送信される前記データパケットを受信するようにさらに構成され、
前記第１の周波数帯域および前記第２の周波数帯域は重複カバレージ領域を有し、前記ユーザ機器は前記重複カバレージ領域内に存在することを特徴とするユーザ機器。
【請求項８】
前記送信ユニットは、特に、
小型セルを使用することによって前記フィードバック情報を前記基地局に送信するように構成されることを特徴とする請求項７に記載のユーザ機器。
【請求項９】
前記第１の周波数帯域は前記第２の周波数帯域より高いことを特徴とする請求項７または８に記載のユーザ機器。
【請求項１０】
適応再送方法であって、
第１の周波数帯域上の無線資源を使用することによってデータパケットをユーザ機器に送信するステップと、
前記ユーザ機器によって送信されるフィードバック情報を受信するステップであって、前記データパケットが首尾よく送信されたかどうかを示すために前記フィードバック情報が使用されるステップと、
前記データパケットの送信が失敗したことを前記フィードバック情報が示している場合、第２の周波数帯域上の無線資源を使用することによって前記データパケットを前記ユーザ機器に送信するステップと
を含み、
前記第１の周波数帯域および前記第２の周波数帯域は重複カバレージ領域を有し、前記ユーザ機器は前記重複カバレージ領域内に存在する
ことを特徴とする方法。
【請求項１１】
第１の周波数帯域上の無線資源を使用することによってデータパケットをユーザ機器に送信する前記ステップは、特に、
小型セルが前記第１の周波数帯域上の前記無線資源を使用することによって前記データパケットを前記ユーザ機器に送信するよう、前記データパケットを前記小型セルに送信するステップである
ことを特徴とする請求項１０に記載の方法。
【請求項１２】
第１の周波数帯域上の無線資源を使用することによってデータパケットをユーザ機器に送信する前記ステップの前に、前記方法は、
前記データパケットのために前記第１の周波数帯域上の前記無線資源をスケジュールするステップと、
スケジューリング情報を前記小型セルに送信するステップであって、前記スケジューリング情報は、前記小型セルが、前記第１の周波数帯域上の前記スケジュールされた無線資源を使用することによって、スケジューリング情報に従って前記データパケットを前記ユーザ機器に送信するよう、前記データパケットのためにスケジュールされる前記第１の周波数帯域上の前記無線資源に関する情報を含むステップと
をさらに含むことを特徴とする請求項１１に記載の方法。
【請求項１３】
第１の周波数帯域上の無線資源を使用することによってデータパケットをユーザ機器に送信する前記ステップの後、前記方法は、
前記小型セルを介して前記ユーザ機器によって送信されるデータパケット情報を受信するステップであって、前記データパケット情報は前記データパケットの識別子を含むステップ
をさらに含むことを特徴とする請求項１１または１２に記載の方法。
【請求項１４】
前記ユーザ機器によって送信されるフィードバック情報を受信する前記ステップの前に、前記方法は、
バッファされたデータパケットを前記データパケットの前記識別子に従って取得するステップと、
前記データパケットのために前記第２の周波数帯域上の前記無線資源をスケジュールするステップと
をさらに含むことを特徴とする請求項１３に記載の方法。
【請求項１５】
第１の周波数帯域上の無線資源を使用することによって、基地局により送信されるデータパケットを受信するステップと、
前記データパケットが首尾よく送信されたかどうかを判定するステップと、
前記データパケットが首尾よく送信された場合に、フィードバック情報を前記基地局に送信するステップであって、前記フィードバック情報は、前記データパケットが首尾よく送信されたことを示すのに用いられる、ステップと、
前記データパケットが失敗して送信された場合に、第２の周波数帯域上の無線資源を使用することによって、前記基地局により送信されるデータパケットを受信するステップと
を備え、
前記第１の周波数帯域および前記第２の周波数帯域は重複カバレージ領域を有し、ユーザ機器は前記重複カバレージ領域内に存在する
ことを特徴とする方法。
【請求項１６】
前記フィードバック情報を前記基地局に送信するステップは、小型セルを使用することによってなされることを特徴とする請求項１５に記載の方法。
【請求項１７】
前記第１の周波数帯域は前記第２の周波数帯域より高いことを特徴とする請求項１５または１６に記載の方法。
【国際調査報告】
2017510173.tif 000020
2017510173.tif 000021
2017510173.tif 000022
2017510173.tif 000023